(57)【要約】  帯域内リソースを使用して送信された狭帯域信号を受信するUEが、LTE基準信号を使用して、帯域内展開を使用して狭帯域信号を受信するのを支援することを可能にするために、基地局によって使用される位相回転は、時間における既知の基準位置に対して固定され得る。基地局におけるワイヤレス通信のための装置は、広帯域リソースを使用して送信するための狭帯域信号についての位相オフセットを決定し、位相オフセットが、時間上の基準点との関係を有し、決定された位相オフセットを使用して狭帯域信号を送信し得る。UEにおけるワイヤレス通信のための装置は、広帯域信号内の周波数位置を有する狭帯域信号を受信し、広帯域信号のシンボルを、時間上の基準点との位相オフセットの関係を有するシンボルごとの位相オフセットだけ回転させ得る。
2019532548.tif 000002
【特許請求の範囲】
【請求項１】
基地局におけるワイヤレス通信のための方法であって、
広帯域リソースを使用して送信するための狭帯域信号についての位相オフセットを決定するステップであって、前記位相オフセットが、時間上の基準点との関係を有する、ステップと、
前記決定された位相オフセットを使用して前記狭帯域信号を送信するステップと
を含む、方法。
【請求項２】
前記基準点が、前記広帯域リソース内の基準シンボルを含み、前記関係が、前記基準シンボルに対するインデックスに対応する、請求項1に記載の方法。
【請求項３】
前記狭帯域信号が、狭帯域IoT(NB-IoT)信号を含み、前記広帯域リソースが、ロングタームエボリューション(LTE)リソースを含む、請求項1に記載の方法。
【請求項４】
前記方法が、
周波数領域において前記狭帯域信号の第1のシンボルを生成するステップと、
前記狭帯域信号の前記第1のシンボルに第1の決定された位相オフセットを乗算するステップと、
前記周波数領域における広帯域信号の広帯域シンボル内に前記狭帯域信号の前記第1のシンボルを多重化するステップと
をさらに含み、
前記狭帯域信号を送信するステップが、前記広帯域信号内に多重化された前記狭帯域信号の前記第1のシンボルを含む多重化信号を送信するステップを含む、請求項1に記載の方法。
【請求項５】
前記位相オフセットが、前記狭帯域信号の第1の周波数中心と広帯域信号の第2の周波数中心との間の周波数分離と、時間上の前記基準点からのシンボル数を示すシンボルインデックスとに基づく、請求項1に記載の方法。
【請求項６】
時間上の前記基準点が、偶数番号のサブフレームに含まれる、請求項5に記載の方法。
【請求項７】
時間上の前記基準点が、最後の偶数番号のサブフレームの開始である、請求項6に記載の方法。
【請求項８】
基地局におけるワイヤレス通信のための装置であって、
広帯域リソースを使用して送信するための狭帯域信号についての位相オフセットを決定するための手段であって、前記位相オフセットが、時間上の基準点との関係を有する、手段と、
前記決定された位相オフセットを使用して前記狭帯域信号を送信するための手段と
を含む、装置。
【請求項９】
前記基準点が、前記広帯域リソース内の基準シンボルを含み、前記関係が、前記基準シンボルに対するインデックスに対応する、請求項8に記載の装置。
【請求項１０】
前記狭帯域信号が、狭帯域IoT(NB-IoT)信号を含み、前記広帯域リソースが、ロングタームエボリューション(LTE)リソースを含む、請求項8に記載の装置。
【請求項１１】
周波数領域において前記狭帯域信号の第1のシンボルを生成するための手段と、
前記狭帯域信号の前記第1のシンボルに第1の決定された位相オフセットを乗算するための手段と、
前記周波数領域における広帯域信号の広帯域シンボル内に前記狭帯域信号の前記第1のシンボルを多重化するための手段と
をさらに含み、
前記狭帯域信号を送信することが、前記広帯域信号内に多重化された前記狭帯域信号の前記第1のシンボルを含む多重化信号を送信することを含む
請求項8に記載の装置。
【請求項１２】
前記位相オフセットが、前記狭帯域信号の第1の周波数中心と広帯域信号の第2の周波数中心との間の周波数分離と、時間上の前記基準点からのシンボル数を示すシンボルインデックスとに基づく、請求項8に記載の装置。
【請求項１３】
時間上の前記基準点が、偶数番号のサブフレームに含まれる、請求項12に記載の装置。
【請求項１４】
時間上の前記基準点が、最後の偶数番号のサブフレームの開始である、請求項13に記載の装置。
【請求項１５】
基地局におけるワイヤレス通信のための装置であって、
メモリと、
前記メモリに結合された少なくとも1つのプロセッサとを備え、前記プロセッサが、
広帯域リソースを使用して送信するための狭帯域信号についての位相オフセットを決定し、前記位相オフセットが、時間上の基準点との関係を有し、
前記決定された位相オフセットを使用して前記狭帯域信号を送信する
ように構成される、装置。
【請求項１６】
前記基準点が、前記広帯域リソース内の基準シンボルを含み、前記関係が、前記基準シンボルに対するインデックスに対応する、請求項15に記載の装置。
【請求項１７】
前記狭帯域信号が、狭帯域IoT(NB-IoT)信号を含み、前記広帯域リソースが、ロングタームエボリューション(LTE)リソースを含む、請求項16に記載の装置。
【請求項１８】
前記少なくとも1つのプロセッサがさらに、
周波数領域において前記狭帯域信号の第1のシンボルを生成し、
前記狭帯域信号の前記第1のシンボルに第1の決定された位相オフセットを乗算し、
前記周波数領域における広帯域信号の広帯域シンボル内に前記狭帯域信号の前記第1のシンボルを多重化する
ように構成され、
前記狭帯域信号を送信することが、前記広帯域信号内に多重化された前記狭帯域信号の前記第1のシンボルを含む多重化信号を送信することを含む、請求項15に記載の装置。
【請求項１９】
前記位相オフセットが、前記狭帯域信号の第1の周波数中心と広帯域信号の第2の周波数中心との間の周波数分離と、時間上の前記基準点からのシンボル数を示すシンボルインデックスとに基づく、請求項15に記載の装置。
【請求項２０】
時間上の前記基準点が、偶数番号のサブフレームに含まれる、請求項19に記載の装置。
【請求項２１】
時間上の前記基準点が、最後の偶数番号のサブフレームの開始である、請求項20に記載の装置。
【請求項２２】
基地局におけるワイヤレス通信のためのコンピュータ実行可能コードを記憶するコンピュータ可読記憶媒体であって、
広帯域リソースを使用して送信するための狭帯域信号についての位相オフセットを決定し、前記位相オフセットが、時間上の基準点との関係を有し、
前記決定された位相オフセットを使用して前記狭帯域信号を送信する
ためのコードを含む、コンピュータ可読記憶媒体。
【請求項２３】
前記基準点が、前記広帯域リソース内の基準シンボルを含み、前記関係が、前記基準シンボルに対するインデックスに対応する、請求項22に記載のコンピュータ可読記憶媒体。
【請求項２４】
前記狭帯域信号が、狭帯域IoT(NB-IoT)信号を含み、前記広帯域リソースが、ロングタームエボリューション(LTE)リソースを含む、請求項22に記載のコンピュータ可読記憶媒体。
【請求項２５】
周波数領域において前記狭帯域信号の第1のシンボルを生成し、
前記狭帯域信号の前記第1のシンボルに第1の決定された位相オフセットを乗算し、
前記周波数領域における広帯域信号の広帯域シンボル内に前記狭帯域信号の前記第1のシンボルを多重化する
ためのコードをさらに含み、
前記狭帯域信号を送信することが、前記広帯域信号内に多重化された前記狭帯域信号の前記第1のシンボルを含む多重化信号を送信することを含む、請求項22に記載のコンピュータ可読記憶媒体。
【請求項２６】
前記位相オフセットが、前記狭帯域信号の第1の周波数中心と広帯域信号の第2の周波数中心との間の周波数分離と、時間上の前記基準点からのシンボル数を示すシンボルインデックスとに基づく、請求項22に記載のコンピュータ可読記憶媒体。
【請求項２７】
時間上の前記基準点が、偶数番号のサブフレームに含まれる、請求項26に記載のコンピュータ可読記憶媒体。
【請求項２８】
時間上の前記基準点が、最後の偶数番号のサブフレームの開始である、請求項27に記載のコンピュータ可読記憶媒体。
【請求項２９】
ユーザ機器(UE)におけるワイヤレス通信のための方法であって、
広帯域信号内の周波数位置を有する狭帯域信号を受信するステップと、
前記広帯域信号のシンボルを、時間上の基準点との関係を有するシンボルごとの位相オフセットだけ回転させるステップと
を含む、方法。
【請求項３０】
前記基準点が、前記広帯域信号内の基準シンボルを含み、前記関係が、前記基準シンボルに対するインデックスに対応する、請求項29に記載の方法。
【請求項３１】
前記基準点が、偶数番号のサブフレームに含まれる、請求項29に記載の方法。
【請求項３２】
前記基準点が、最後の偶数番号のサブフレームの開始である、請求項31に記載の方法。
【請求項３３】
前記狭帯域信号が、狭帯域IoT(NB-IoT)信号を含み、前記広帯域信号が、ロングタームエボリューション(LTE)信号を含む、請求項29に記載の方法。
【請求項３４】
狭帯域信号受信のための動作モードを決定するステップをさらに含み、
前記広帯域信号の前記シンボルが、対応する狭帯域基準信号に対して回転される広帯域基準信号を含む、請求項29に記載の方法。
【請求項３５】
前記広帯域基準信号の相対的回転が、前記狭帯域信号の第1の周波数中心と、前記広帯域信号の第2の周波数中心との間の周波数分離と、シンボルインデックスとに対応する、請求項34に記載の方法。
【請求項３６】
リソース要素の第1のセットの第1の位相と、リソース要素の第2のセットの第2の位相とを比較することによって位相差を決定するステップであって、前記広帯域信号の前記シンボルの前記相対的回転が、少なくとも前記決定された位相差に基づく、ステップをさらに含む、請求項35に記載の方法。
【請求項３７】
前記リソース要素の第1のセットが、セル固有基準信号(CRS)を含み、前記リソース要素の第2のセットが、狭帯域基準信号(NRS)を含む、請求項36に記載の方法。
【請求項３８】
前記広帯域基準信号が、セル固有基準信号(CRS)を含む、請求項34に記載の方法。
【請求項３９】
前記受信するステップが、
前記CRSに基づく第1のチャネル推定を、狭帯域基準信号(NRS)に基づいて、第2のチャネル推定と結合するステップと、
前記狭帯域信号を結合されたチャネル推定により復調するステップと
をさらに含む、請求項38に記載の方法。
【請求項４０】
前記CRSに基づいて前記第1のチャネル推定を決定し、前記NRSに基づいて前記第2のチャネル推定を決定することが、対応する基準信号についてシンボル回転を実行した後、前記CRSおよび前記NRSの少なくとも一部をデスクランブルすることを含む、請求項39に記載の方法。
【請求項４１】
ユーザ機器(UE)におけるワイヤレス通信のための装置であって、
広帯域信号内の周波数位置を有する狭帯域信号を受信するための手段と、
前記広帯域信号のシンボルを、時間上の基準点との関係を有するシンボルごとの位相オフセットだけ回転させるための手段と
を含む、装置。
【請求項４２】
前記基準点が、前記広帯域信号内の基準シンボルを含み、前記関係が、前記基準シンボルに対するインデックスに対応する、請求項41に記載の装置。
【請求項４３】
前記基準点が、偶数番号のサブフレームに含まれる、請求項41に記載の装置。
【請求項４４】
前記基準点が、最後の偶数番号のサブフレームの開始である、請求項43に記載の装置。
【請求項４５】
前記狭帯域信号が、狭帯域IoT(NB-IoT)信号を含み、前記広帯域信号が、ロングタームエボリューション(LTE)信号を含む、請求項41に記載の装置。
【請求項４６】
狭帯域信号受信のための動作モードを決定するための手段をさらに含み、
前記広帯域信号の前記シンボルが、対応する狭帯域基準信号に対して回転される広帯域基準信号を含む、請求項41に記載の装置。
【請求項４７】
前記広帯域基準信号の相対的回転が、前記狭帯域信号の第1の周波数中心と、前記広帯域信号の第2の周波数中心との間の周波数分離と、シンボルインデックスとに対応する、請求項46に記載の装置。
【請求項４８】
リソース要素の第1のセットの第1の位相と、リソース要素の第2のセットの第2の位相とを比較することによって位相差を決定するための手段であって、前記広帯域信号の前記シンボルの前記相対的回転が、少なくとも前記決定された位相差に基づく、手段をさらに備える、請求項47に記載の装置。
【請求項４９】
前記リソース要素の第1のセットが、セル固有基準信号(CRS)を含み、前記リソース要素の第2のセットが、狭帯域基準信号(NRS)を含む、請求項48に記載の装置。
【請求項５０】
前記広帯域基準信号が、セル固有基準信号(CRS)を含む、請求項46に記載の装置。
【請求項５１】
受信するための前記手段が、
前記CRSに基づく第1のチャネル推定を、狭帯域基準信号(NRS)に基づいて、第2のチャネル推定と結合するための手段と、
前記狭帯域信号を結合されたチャネル推定により復調するための手段と
をさらに備える、請求項50に記載の装置。
【請求項５２】
前記CRSに基づいて前記第1のチャネル推定を決定し、前記NRSに基づいて前記第2のチャネル推定を決定することが、対応する基準信号についてシンボル回転を実行した後、前記CRSおよび前記NRSの少なくとも一部をデスクランブルすることを含む、請求項51に記載の装置。
【請求項５３】
ユーザ機器(UE)におけるワイヤレス通信のための装置であって、
メモリと、
前記メモリに結合された少なくとも1つのプロセッサとを備え、前記プロセッサが、
広帯域信号内の周波数位置を有する狭帯域信号を受信し、
前記広帯域信号のシンボルを、時間上の基準点との関係を有するシンボルごとの位相オフセットだけ回転させる
ように構成される、装置。
【請求項５４】
前記基準点が、前記広帯域信号内の基準シンボルを含み、前記関係が、前記基準シンボルに対するインデックスに対応する、請求項53に記載の装置。
【請求項５５】
前記基準点が、偶数番号のサブフレームに含まれる、請求項53に記載の装置。
【請求項５６】
前記基準点が、最後の偶数番号のサブフレームの開始である、請求項55に記載の装置。
【請求項５７】
前記狭帯域信号が、狭帯域IoT(NB-IoT)信号を含み、前記広帯域信号が、ロングタームエボリューション(LTE)信号を含む、請求項53に記載の装置。
【請求項５８】
前記少なくとも1つのプロセッサがさらに、
狭帯域信号受信のための動作モードを決定する
ように構成され、
前記広帯域信号の前記シンボルが、対応する狭帯域基準信号に対して回転される広帯域基準信号を含む、請求項53に記載の装置。
【請求項５９】
前記広帯域基準信号の相対的回転が、前記狭帯域信号の第1の周波数中心と、前記広帯域信号の第2の周波数中心との間の周波数分離と、シンボルインデックスとに対応する、請求項58に記載の装置。
【請求項６０】
前記少なくとも1つのプロセッサがさらに、
リソース要素の第1のセットの第1の位相と、リソース要素の第2のセットの第2の位相とを比較することによって位相差を決定することであって、前記広帯域信号の前記シンボルの前記相対的回転が、少なくとも前記決定された位相差に基づく、ことをする
ように構成される、請求項59に記載の装置。
【請求項６１】
前記リソース要素の第1のセットが、セル固有基準信号(CRS)を含み、前記リソース要素の第2のセットが、狭帯域基準信号(NRS)を含む、請求項60に記載の装置。
【請求項６２】
前記広帯域基準信号が、セル固有基準信号(CRS)を含む、請求項58に記載の装置。
【請求項６３】
前記少なくとも1つのプロセッサがさらに、
前記CRSに基づく第1のチャネル推定を、狭帯域基準信号(NRS)に基づいて、第2のチャネル推定と結合し、
前記狭帯域信号を結合されたチャネル推定により復調する
ように構成される、請求項62に記載の装置。
【請求項６４】
前記CRSに基づいて前記第1のチャネル推定を決定し、前記NRSに基づいて前記第2のチャネル推定を決定することが、対応する基準信号についてシンボル回転を実行した後、前記CRSおよび前記NRSの少なくとも一部をデスクランブルすることを含む、請求項63に記載の装置。
【請求項６５】
ユーザ機器(UE)におけるワイヤレス通信のためのコンピュータ実行可能コードを記憶するコンピュータ可読記憶媒体であって、
広帯域信号内の周波数位置を有する狭帯域信号を受信し、
前記広帯域信号のシンボルを、時間上の基準点との関係を有するシンボルごとの位相オフセットだけ回転させる
ためのコードを含む、コンピュータ可読記憶媒体。
【請求項６６】
前記基準点が、前記広帯域信号内の基準シンボルを含み、前記関係が、前記基準シンボルに対するインデックスに対応する、請求項65に記載のコンピュータ可読記憶媒体。
【請求項６７】
前記基準点が、偶数番号のサブフレームに含まれる、請求項65に記載のコンピュータ可読記憶媒体。
【請求項６８】
前記基準点が、最後の偶数番号のサブフレームの開始である、請求項67に記載のコンピュータ可読記憶媒体。
【請求項６９】
前記狭帯域信号が、狭帯域IoT(NB-IoT)信号を含み、前記広帯域信号が、ロングタームエボリューション(LTE)信号を含む、請求項65に記載のコンピュータ可読記憶媒体。
【請求項７０】
狭帯域信号受信のための動作モードを決定するためのコードをさらに含み、
前記広帯域信号の前記シンボルが、対応する狭帯域基準信号に対して回転される広帯域基準信号を含む、請求項65に記載のコンピュータ可読記憶媒体。
【請求項７１】
前記広帯域基準信号の相対的回転が、前記狭帯域信号の第1の周波数中心と、前記広帯域信号の第2の周波数中心との間の周波数分離と、シンボルインデックスとに対応する、請求項70に記載のコンピュータ可読記憶媒体。
【請求項７２】
リソース要素の第1のセットの第1の位相と、リソース要素の第2のセットの第2の位相とを比較することによって位相差を決定することであって、前記広帯域信号の前記シンボルの前記相対的回転が、少なくとも前記決定された位相差に基づく、ことをする
ためのコードをさらに含む、請求項71に記載のコンピュータ可読記憶媒体。
【請求項７３】
前記リソース要素の第1のセットが、セル固有基準信号(CRS)を含み、前記リソース要素の第2のセットが、狭帯域基準信号(NRS)を含む、請求項72に記載のコンピュータ可読記憶媒体。
【請求項７４】
前記広帯域基準信号が、セル固有基準信号(CRS)を含む、請求項70に記載のコンピュータ可読記憶媒体。
【請求項７５】
前記CRSに基づく第1のチャネル推定を、狭帯域基準信号(NRS)に基づいて、第2のチャネル推定と結合し、
前記狭帯域信号を結合されたチャネル推定により復調する
ためのコードをさらに含む、請求項74に記載のコンピュータ可読記憶媒体。
【請求項７６】
前記CRSに基づいて前記第1のチャネル推定を決定し、前記NRSに基づいて前記第2のチャネル推定を決定することが、対応する基準信号についてシンボル回転を実行した後、前記CRSおよび前記NRSの少なくとも一部をデスクランブルすることを含む、請求項75に記載のコンピュータ可読記憶媒体。
【発明の詳細な説明】
【技術分野】
【０００１】
関連出願の相互参照
本出願は、その全体が参照により本明細書に明確に組み込まれる、「PHASE ROTATION FOR IN-BAND SIGNAL GENERATION FOR NARROW BAND TRANSMISSION」と題する2016年8月19日に出願された米国仮出願第62/377,434号、および「PHASE ROTATION FOR IN-BAND SIGNAL GENERATION FOR NARROW BAND TRANSMISSION」と題する2017年2月28日に出願された米国特許出願第15/445,263号の利益を主張する。
【０００２】
本開示は、一般に、通信システムに関し、より詳細には、より広い帯域信号内の狭帯域信号生成のための位相回転に関する。
【背景技術】
【０００３】
ワイヤレス通信システムは、電話、ビデオ、データ、メッセージング、およびブロードキャストなどの、様々な電気通信サービスを提供するために広く展開されている。典型的なワイヤレス通信システムは、利用可能なシステムリソースを共有することによって複数のユーザとの通信をサポートすることが可能な多元接続技術を採用する場合がある。そのような多元接続技術の例には、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムが含まれる。
【０００４】
これらの多元接続技術は、異なるワイヤレスデバイスが都市、国家、地域、さらには地球レベルで通信することを可能にする共通プロトコルを提供するために、様々な電気通信規格において採用されている。例示的な電気通信規格はロングタームエボリューション(LTE)である。LTEは、第3世代パートナーシッププロジェクト(3GPP)によって公表されたユニバーサルモバイルテレコミュニケーションズシステム(UMTS)モバイル規格に対する拡張のセットである。LTEは、ダウンリンク上でOFDMAを使用し、アップリンク上でSC-FDMAを使用し、多入力多出力(MIMO)アンテナ技術を使用して、スペクトル効率の改善、コストの低下、およびサービスの改善を通じて、モバイルブロードバンドアクセスをサポートするように設計されている。しかしながら、モバイルブロードバンドアクセスに対する需要が増大し続けるにつれて、LTE技術におけるさらなる改善が必要である。これらの改善は、他の多元接続技術、およびこれらの技術を採用する電気通信規格にも適用可能であり得る。
【０００５】
狭帯域モノのインターネット(NB-IoT:narrow band internet-of-things)または拡張マシンタイプ通信(eMTC)などの狭帯域(NB)ワイヤレス通信では、ワイヤレス通信が、低減されたリソース量に制限され得る。たとえば、NB-IoTでは、ワイヤレス通信は、単一のリソースブロック(RB)に制限される。eMTCでは、通信は、6つのRBに制限される。そのような制限されたリソースは、データを送信する際に特有の問題をもたらす。
【発明の概要】
【課題を解決するための手段】
【０００６】
以下で、1つまたは複数の態様の基本的理解を可能にするために、そのような態様の簡略化された概要を提示する。この概要は、すべての考えられる態様の包括的な概説ではなく、すべての態様の主要または重要な要素を識別することも、いずれかまたはすべての態様の範囲を定めることも意図していない。その唯一の目的は、後で提示されるより詳細な説明の導入として、1つまたは複数の態様のいくつかの概念を簡略化された形で提示することである。
【０００７】
スタンドアロン展開では、専用スペクトル内のリソースブロックを使用して、NB通信が送信され得る。帯域内NB通信は、別のキャリア(たとえば、LTEキャリア)内のリソースブロックを利用して送信され得、ガードバンド展開は、別のキャリアのガードバンド内の未使用のリソースブロックでNB通信を送信し得る。NB-IoT送信は、単一の物理リソースブロック(PRB)に制限されるので、帯域内NB-IoT送信は、NB-IoT送信を送信するために、広帯域リソース(たとえば、LTEリソース)の1つのPRBを使用して生成され得る。広帯域信号を送信する基地局は、1つのキャリアをNB信号に置き換え得る。これによって、基地局は、周波数領域におけるNBシンボルを対応する広帯域リソース要素と多重化することによって、単一の逆離散フーリエ変換(IDFT)を使用してベースバンド信号を生成することができる。
【０００８】
しかしながら、広帯域信号は、広帯域リソース内で送信されるNB信号の中心周波数とは異なる中心周波数を有し得る。たとえば、LTE信号の中心周波数は、すべてのLTE PRBの中心であり、一方、NB-IoT信号の中心周波数は、NB-IoTに使用される特定のPRBの中心である。ユーザ機器(UE)は、基地局から受信する信号の復調のために周波数中心を使用する。
【０００９】
異なるOFDMシンボル間の位相差を引き起こす周波数の中心における差のために、基地局が、対応する広帯域リソース要素の周波数領域においてNBシンボルを多重化することは問題となり得る。基地局は、NB信号のシンボルを、位相オフセットだけ回転させることによって、送信前に2つの信号間の位相オフセットを補正し得る。
【００１０】
NB信号を受信するUEは、NB信号がスタンドアロン信号ではなく帯域内信号であることを認識しない場合がある。UEは、基地局によって適用される位相回転にかかわらず、NB信号を復調することができ得る。しかしながら、UEは、NB信号を受信するのを助けるために、広帯域基準信号を使用することができない。
【００１１】
UEが広帯域基準信号を使用して、UEが帯域内展開を使用してNB信号を受信するのを支援することを可能にするために、基地局によって使用される位相回転は、時間における既知の基準位置に対して固定され得る。次いで、UEは、広帯域基準信号を含むシンボルと基準位置との関係を使用して、広帯域基準信号に位相回転を適用し得る。広帯域基準信号に位相回転を適用することによって、UEは、基地局がNB信号に適用した位相回転の影響を事実上元に戻す。これによって、UEは、NB基準信号とともにLTE基準信号を使用して、NB信号を復調することができる。
【００１２】
本開示の一態様では、基地局におけるワイヤレス通信のための方法、コンピュータ可読媒体、および装置が提供される。装置は、広帯域リソースを使用して送信するためのNB信号についての位相オフセットを決定し、位相オフセットは、時間上の基準点との関係を有する。次いで、装置は、決定された位相オフセットを使用して、NB信号を送信する。基準点は、最後の偶数番号のサブフレームの開始など、広帯域リソース内の基準シンボルを含み得る。この関係は、基準シンボルに対するインデックスに対応し得る。
【００１３】
装置はまた、周波数領域においてNB信号の第1のシンボルを生成し、NB信号の第1のシンボルに第1の決定された位相オフセットを乗算し、周波数領域における広帯域信号の広帯域シンボル内にNB信号の第1のシンボルを多重化してもよく、NB信号を送信することは、多重化信号を送信することを含む。位相オフセットは、NB信号の第1の周波数中心と広帯域信号の第2の周波数中心との間の周波数分離と、時間上の基準点からのシンボル数を示すシンボルインデックスとに基づき得る。
【００１４】
本開示の別の態様では、UEにおけるワイヤレス通信のための方法、コンピュータ可読媒体、および装置が提供される。装置は、広帯域信号内の周波数位置を有するNB信号を受信し、広帯域信号のシンボルを、時間上の基準点との関係を有するシンボルごとの位相オフセットだけ回転させる。装置は、広帯域信号のシンボルを回転させることを決定する前に、NB信号受信のための動作モードを決定し得る。広帯域信号のシンボルは、対応するNB基準信号に対して回転される広帯域基準信号であってもよい。
【００１５】
上記の目的および関係する目的を達成するために、1つまたは複数の態様は、以下で十分に説明され、特に特許請求の範囲で指摘する特徴を含む。以下の説明および添付の図面は、1つまたは複数の態様のいくつかの例示的な特徴を詳細に記載している。しかしながら、これらの特徴は、様々な態様の原理が採用され得る様々な方法のほんのいくつかを示すものであり、この説明は、すべてのそのような態様およびそれらの均等物を含むものとする。
【図面の簡単な説明】
【００１６】
【図１】ワイヤレス通信システムおよびアクセスネットワークの一例を示す図である。
【図２Ａ】DLフレーム構造のLTEの例を示す図である。
【図２Ｂ】DLフレーム構造内のDLチャネルのLTEの例を示す図である。
【図２Ｃ】ULフレーム構造のLTEの例を示す図である。
【図２Ｄ】ULフレーム構造内のULチャネルのLTEの例を示す図である。
【図３】アクセスネットワーク内の発展型ノードB(eNB)およびユーザ機器(UE)の一例を示す図である。
【図４】ワイヤレス通信の方法のフローチャートである。
【図５】例示的な装置における異なる手段/構成要素間のデータフローを示す概念データフロー図である。
【図６】処理システムを採用する装置のためのハードウェア実装形態の一例を示す図である。
【図７】ワイヤレス通信の方法のフローチャートである。
【図８】例示的な装置における異なる手段/構成要素間のデータフローを示す概念データフロー図である。
【図９】処理システムを採用する装置のためのハードウェア実装形態の一例を示す図である。
【図１０】シンボルごとの位相オフセットの例示的なパターンを示す図である。
【発明を実施するための形態】
【００１７】
添付の図面に関して以下に記載する発明を実施するための形態は、様々な構成について説明するものであり、本明細書で説明する概念が実践され得る構成のみを表すものではない。詳細な説明は、様々な概念の完全な理解を与える目的で、具体的な詳細を含む。しかしながら、これらの概念がこれらの具体的な詳細なしに実践されてもよいことが、当業者には明らかであろう。いくつかの事例では、そのような概念を不明瞭にすることを回避するために、よく知られている構造および構成要素がブロック図の形態で示される。
【００１８】
以下に、電気通信システムのいくつかの態様を、様々な装置および方法を参照しながら提示する。これらの装置および方法は、以下の発明を実施するための形態において説明され、(「要素」と総称される)様々なブロック、構成要素、回路、プロセス、アルゴリズムなどによって添付の図面において示される。これらの要素は、電子ハードウェア、コンピュータソフトウェア、またはそれらの任意の組合せを使用して実装されてもよい。そのような要素がハードウェアとして実装されるのか、それともソフトウェアとして実装されるのかは、具体的な適用例および全体的なシステムに課された設計制約に依存する。
【００１９】
例として、要素、または要素の任意の部分、または要素の任意の組合せは、1つまたは複数のプロセッサを含む「処理システム」として実装されることがある。プロセッサの例には、マイクロプロセッサ、マイクロコントローラ、グラフィックス処理装置(GPU)、中央処理装置(CPU)、アプリケーションプロセッサ、デジタル信号プロセッサ(DSP)、縮小命令セットコンピューティング(RISC)プロセッサ、システムオンチップ(SoC)、ベースバンドプロセッサ、フィールドプログラマブルゲートアレイ(FPGA)、プログラマブル論理デバイス(PLD)、ステートマシン、ゲート論理、個別ハードウェア回路、および本開示全体にわたって説明される様々な機能を実行するように構成された他の適切なハードウェアがある。処理システムの中の1つまたは複数のプロセッサが、ソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００２０】
したがって、1つまたは複数の例示的な実施形態では、説明される機能は、ハードウェア、ソフトウェア、またはそれらの任意の組合せで実装されることがある。ソフトウェアで実装される場合、機能は、コンピュータ可読媒体上に記憶されるか、またはコンピュータ可読媒体上に1つまたは複数の命令もしくはコードとして符号化されることがある。コンピュータ可読媒体は、コンピュータ記憶媒体を含む。記憶媒体は、コンピュータによってアクセス可能な任意の利用可能な媒体であってもよい。限定ではない例として、そのようなコンピュータ可読媒体は、ランダムアクセスメモリ(RAM)、読取り専用メモリ(ROM)、電気的消去可能プログラマブルROM(EEPROM)、光ディスクストレージ、磁気ディスクストレージ、他の磁気ストレージデバイス、上述のタイプのコンピュータ可読媒体の組合せ、または、コンピュータによってアクセス可能な命令もしくはデータ構造の形態のコンピュータ実行可能コードを記憶するために使用可能な任意の他の媒体を備えることができる。
【００２１】
図1は、ワイヤレス通信システムおよびアクセスネットワーク100の例を示す図である。(ワイヤレスワイドエリアネットワーク(WWAN)とも呼ばれる)ワイヤレス通信システムは、基地局102と、UE104と、発展型パケットコア(EPC)160とを含む。基地局102は、マクロセル(高電力セルラー基地局)および/またはスモールセル(低電力セルラー基地局)を含む場合がある。マクロセルはeNBを含む。スモールセルは、フェムトセルと、ピコセルと、マイクロセルとを含む。
【００２２】
(発展型ユニバーサルモバイルテレコミュニケーションシステム(UMTS)地上波無線アクセスネットワーク(E-UTRAN)と総称される)基地局102は、バックホールリンク132(たとえば、S1インターフェース)を介してEPC160とインターフェースする。他の機能に加えて、基地局102は、以下の機能:ユーザデータの転送、無線チャネル暗号化および解読、完全性保護、ヘッダ圧縮、モビリティ制御機能(たとえば、ハンドオーバー、デュアル接続性)、セル間干渉協調、接続セットアップおよび解放、負荷分散、非アクセス層(NAS)メッセージのための分配、NASノード選択、同期、無線アクセスネットワーク(RAN)共有、マルチメディアブロードキャストマルチキャストサービス(MBMS)、加入者および機器トレース、RAN情報管理(RIM)、ページング、測位、ならびに警告メッセージの配信のうちの1つまたは複数を実施することができる。基地局102は、バックホールリンク134(たとえば、X2インターフェース)上で互いに直接的または(たとえば、EPC160を介して)間接的に通信することができる。バックホールリンク134は有線またはワイヤレスであり得る。
【００２３】
基地局102はUE104とワイヤレスに通信することができる。基地局102の各々は、それぞれの地理的カバレージエリア110に通信カバレージを提供してもよい。重複する地理的カバレージエリア110が存在する場合がある。たとえば、スモールセル102'は、1つまたは複数のマクロ基地局102のカバレージエリア110と重複するカバレージエリア110'を有する場合がある。スモールセルとマクロセルの両方を含むネットワークは、異種ネットワークとして知られていることがある。異種ネットワークは、限定加入者グループ(CSG)として知られる限定グループにサービスを提供し得るホーム発展型ノードB(eNB)(HeNB)を含むこともある。基地局102とUE104との間の通信リンク120は、UE104から基地局102への(逆方向リンクとも呼ばれる)アップリンク(UL)送信、および/または基地局102からUE104への(順方向リンクとも呼ばれる)ダウンリンク(DL)送信を含むことがある。通信リンク120は、空間多重化、ビームフォーミング、および/または送信ダイバーシティを含む、MIMOアンテナ技術を使用することができる。通信リンクは、1つまたは複数のキャリアを介する場合がある。基地局102/UE104は、各方向における送信用に使用される合計YxMHz(x個のコンポーネントキャリア)までのキャリアアグリゲーションにおいて割り振られた、キャリア当たりYMHz(たとえば、5、10、15、20MHz)までの帯域幅のスペクトルを使用してもよい。キャリアは、互いに隣接する場合も、隣接しない場合もある。キャリアの割振りは、DLおよびULに対して非対称であってもよい(たとえば、DLに対し、ULの場合よりも多いかまたは少ないキャリアが割り振られる場合がある)。コンポーネントキャリアは、1次コンポーネントキャリアと、1つまたは複数の2次コンポーネントキャリアとを含む場合がある。1次コンポーネントキャリアは1次セル(PCell)と呼ばれる場合があり、2次コンポーネントキャリアは2次セル(SCell)と呼ばれる場合がある。
【００２４】
ワイヤレス通信システムは、5GHz無認可周波数スペクトル内で通信リンク154を介してWi-Fi局(STA)152と通信しているWi-Fiアクセスポイント(AP)150をさらに含む場合がある。無認可周波数スペクトル内で通信するとき、STA152/AP150は、チャネルが利用可能であるかどうかを決定するために、通信するより前にクリアチャネルアセスメント(CCA)を実施することができる。
【００２５】
スモールセル102'は、認可および/または無認可の周波数スペクトル内で動作してもよい。無認可周波数スペクトル内で動作しているとき、スモールセル102'は、LTEを採用し、Wi-Fi AP150によって使用されるのと同じ5GHz無認可周波数スペクトルを使用してもよい。無認可周波数スペクトル内でLTEを採用するスモールセル102'は、アクセスネットワークへのカバレージをブーストすること、および/またはアクセスネットワークの容量を増加させることができる。無認可スペクトルにおけるLTEは、LTE無認可(LTE-U)、ライセンス補助アクセス(LAA)、またはMuLTEfireと呼ばれる場合がある。
【００２６】
ミリメートル波(mmW)基地局180は、UE182と通信するためにmmW周波数および/または準mmW周波数(near mmW frequency)で動作することがある。極高周波数(EHF:extremely high frequency)は、電磁スペクトルにおいてRFの一部である。EHFは、30GHz〜300GHzの範囲および1ミリメートルから10ミリメートルの間の波長を有する。この帯域における電波は、ミリメートル波と呼ばれることがある。準mmWは、100ミリメートルの波長を有し、3GHzの周波数まで及ぶことがある。超高周波数(SHF:super high frequency)帯域は、センチメートル波とも呼ばれ、3GHzから30GHzの間に及ぶ。mmW/準mmW無線周波数帯域を使用する通信は、極めて高い経路損失および短距離を有する。mmW基地局180は、極めて高い経路損失および短距離を補償するためにビームフォーミング184を利用してもよい。
【００２７】
EPC160は、モビリティ管理エンティティ(MME)162と、他のMME164と、サービングゲートウェイ166と、マルチメディアブロードキャストマルチキャストサービス(MBMS)ゲートウェイ168と、ブロードキャストマルチキャストサービスセンタ(BM-SC)170と、パケットデータネットワーク(PDN)ゲートウェイ172とを含み得る。MME162は、ホーム加入者サーバ(HSS)174と通信している場合がある。MME162は、UE104とEPC160との間のシグナリングを処理する制御ノードである。概して、MME162はベアラと接続管理とを提供する。すべてのユーザインターネットプロトコル(IP)パケットは、サービングゲートウェイ166を介して転送され、サービングゲートウェイ166自体はPDNゲートウェイ172に接続される。PDNゲートウェイ172は、UEのIPアドレス割振りならびに他の機能を提供する。PDNゲートウェイ172およびBM-SC170は、IPサービス176に接続される。IPサービス176は、インターネット、イントラネット、IPマルチメディアサブシステム(IMS)、PSストリーミングサービス(PSS)、および/または他のIPサービスを含む場合がある。BM-SC170は、MBMSユーザサービスのプロビジョニングおよび配信のための機能を提供することができる。BM-SC170は、コンテンツプロバイダMBMS送信のためのエントリポイントとして働く場合があり、公的地域モバイルネットワーク(PLMN)内のMBMSベアラサービスを認可および開始するために使用される場合があり、MBMS送信をスケジュールするために使用される場合がある。MBMSゲートウェイ168は、特定のサービスをブロードキャストするマルチキャストブロードキャスト単一周波数ネットワーク(MBSFN)エリアに属する基地局102にMBMSトラフィックを配信するために使用される場合があり、セッション管理(開始/停止)およびeMBMS関係の課金情報を収集することに関与する場合がある。
【００２８】
基地局は、ノードB、発展型ノードB(eNB)、アクセスポイント、トランシーバ基地局、無線基地局、無線トランシーバ、トランシーバ機能、基本サービスセット(BSS)、拡張サービスセット(ESS)、または他の何らかの適切な用語で呼ばれることもある。基地局102は、UE104にEPC160へのアクセスポイントを提供する。UE104の例には、携帯電話、スマートフォン、セッション開始プロトコル(SIP)電話、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲーム機、タブレット、スマートデバイス、ウェアラブルデバイス、または任意の他の同様の機能デバイスが含まれる。UE104は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語で呼ばれる場合もある。
【００２９】
再び図1を参照すると、いくつかの態様では、UE104、eNB102、または他の基地局は、広帯域信号とともに帯域内で送信されたNB信号を含む信号の少なくとも一部に対して位相回転を実行するように構成され得る。たとえば、UE104および/またはeNB102は、図4〜図10に関して説明するように、位相回転構成要素(198)を含み得る。
【００３０】
図2Aは、LTEにおけるDLフレーム構造の例を示す図200である。図2Bは、LTEにおけるDLフレーム構造内のチャネルの例を示す図230である。図2Cは、LTEにおけるULフレーム構造の例を示す図250である。図2Dは、LTEにおけるULフレーム構造内のチャネルの例を示す図280である。他のワイヤレス通信技術は、異なるフレーム構造および/または異なるチャネルを有することがある。LTEでは、フレーム(10ms)は、10個の等しいサイズのサブフレームに分割されることがある。各サブフレームは、2つの連続するタイムスロットを含み得る。2つのタイムスロットを表すためにリソースグリッドが使用されることがあり、各タイムスロットは、1つまたは複数の(物理RB(PRB)とも呼ばれる)同時のリソースブロック(RB)を含む。リソースグリッドは複数のリソース要素(RE)に分割される。LTEでは、ノーマルサイクリックプレフィックスの場合、RBは、合計で84個のREについて、周波数領域に12個の連続するサブキャリアを含み、時間領域に7つの連続するシンボル(DLの場合はOFDMシンボル、ULの場合はSC-FDMAシンボル)を含んでいる。拡張サイクリックプレフィックスの場合、RBは、合計で72個のREについて、周波数領域に12個の連続するサブキャリアを含んでおり、時間領域に6個の連続するシンボルを含んでいる。各REによって搬送されるビット数は変調方式に依存する。
【００３１】
図2Aに示されたように、REのうちのいくつかは、UEにおけるチャネル推定のためのDL基準(パイロット)信号(DL-RS)を搬送する。DL-RSは、(共通RSと呼ばれることもある)セル固有基準信号(CRS)と、UE固有基準信号(UE-RS)と、チャネル状態情報基準信号(CSI-RS)とを含むことがある。図2Aは、(それぞれ、R0、R1、R2、およびR3として示された)アンテナポート0、1、2、および3のためのCRSと、(R5として示された)アンテナポート5のためのUE-RSと、(Rとして示された)アンテナポート15のためのCSI-RSとを示す。図2Bは、フレームのDLサブフレーム内の様々なチャネルの例を示す。物理制御フォーマットインジケータチャネル(PCFICH)はスロット0のシンボル0内にあり、物理ダウンリンク制御チャネル(PDCCH)が1つのシンボルを占有するか、2つのシンボルを占有するか、または3つのシンボルを占有するかを示す制御フォーマットインジケータ(CFI)を搬送する(図2Bは、3つのシンボルを占有するPDCCHを示す)。PDCCHは、1つまたは複数の制御チャネル要素(CCE)内でダウンリンク制御情報(DCI)を搬送し、各CCEは9つのREグループ(REG)を含み、各REGはOFDMシンボルに4つの連続するREを含む。UEは、DCIも搬送するUE固有の拡張PDCCH(ePDCCH)で構成されることがある。ePDCCHは、2つ、4つ、または8つのRBペアを有することがある(図2Bは2つのRBペアを示し、各サブセットは1つのRBペアを含む)。物理ハイブリッド自動再送要求(ARQ)(HARQ)インジケータチャネル(PHICH)もスロット0のシンボル0内にあり、物理アップリンク共有チャネル(PUSCH)に基づいてHARQ肯定応答(ACK)/否定応答(NACK)フィードバックを示すHARQインジケータ(HI)を搬送する。1次同期チャネル(PSCH)は、フレームのサブフレーム0および5内のスロット0のシンボル6内にあり、サブフレームタイミングと物理レイヤ識別情報とを決定するためにUEによって使用される1次同期信号(PSS)を搬送する。2次同期チャネル(SSCH)は、フレームのサブフレーム0および5内のスロット0のシンボル5内にあり、物理レイヤセル識別情報グループ番号
を決定するためにUEによって使用される2次同期信号(SSS)を搬送する。物理レイヤ識別情報および物理レイヤセル識別情報グループ番号に基づいて、UEは物理セル識別子(PCI)を決定することができる。PCIに基づいて、UEは上述のDL-RSの位置を決定することができる。物理ブロードキャストチャネル(PBCH)は、フレームのサブフレーム0のスロット1のシンボル0、1、2、3内にあり、マスター情報ブロック(MIB)を搬送する。MIBは、DLシステム帯域幅内のRBの数と、PHICH構成と、システムフレーム番号(SFN)とを提供する。物理ダウンリンク共有チャネル(PDSCH)は、ユーザデータと、システム情報ブロック(SIB)などのPBCHを介して送信されないブロードキャストシステム情報と、ページングメッセージとを搬送する。
【００３２】
図2Cに示されたように、REのうちのいくつかは、eNBにおけるチャネル推定のための復調基準信号(DM-RS)を搬送する。UEは、サブフレームの最終シンボルにおいてサウンディング基準信号(SRS)をさらに送信することがある。SRSはコム構造を有することがあり、UEは、コムのうちの1つの上でSRSを送信することがある。SRSは、eNBによって、UL上での周波数依存のスケジューリングを可能にするために、チャネル品質推定のために使用され得る。図2Dは、フレームのULサブフレーム内の様々なチャネルの例を示す。物理ランダムアクセスチャネル(PRACH)は、PRACH構成に基づいてフレーム内の1つまたは複数のサブフレーム内にあり得る。PRACHは、サブフレーム内に6つの連続するRBペアを含むことがある。PRACHにより、UEが初期システムアクセスを実行し、UL同期を実現することが可能になる。物理アップリンク制御チャネル(PUCCH)は、ULシステム帯域幅の端に位置することがある。PUCCHは、スケジューリング要求、チャネル品質インジケータ(CQI)、プリコーディング行列インジケータ(PMI)、ランクインジケータ(RI)、およびHARQ ACK/NACKフィードバックなどのアップリンク制御情報(UCI)を搬送する。PUSCHは、データを搬送し、バッファステータス報告(BSR)、電力ヘッドルーム報告(PHR)、および/またはUCIを搬送するために追加で使用されることがある。
【００３３】
図3は、アクセスネットワーク内でeNB310がUE350と通信しているブロック図である。DLでは、EPC160からのIPパケットがコントローラ/プロセッサ375に供給される場合がある。コントローラ/プロセッサ375はレイヤ3およびレイヤ2の機能を実装する。レイヤ3は無線リソース制御(RRC)レイヤを含み、レイヤ2は、パケットデータコンバージェンスプロトコル(PDCP)レイヤと、無線リンク制御(RLC)レイヤと、媒体アクセス制御(MAC)レイヤとを含む。コントローラ/プロセッサ375は、システム情報(たとえば、MIB、SIB)のブロードキャスティング、RRC接続制御(たとえば、RRC接続ページング、RRC接続確立、RRC接続修正、およびRRC接続解放)、無線アクセス技術(RAT)間モビリティ、ならびにUE測定報告のための測定構成に関連するRRCレイヤ機能と、ヘッダ圧縮/解凍、セキュリティ(暗号化、解読、完全性保護、完全性検証)、およびハンドオーバーサポート機能に関連するPDCPレイヤ機能と、上位レイヤパケットデータユニット(PDU)の転送、ARQを介した誤り訂正、RLCサービスデータユニット(SDU)の連結、セグメンテーション、およびリアセンブリ、RLCデータPDUの再セグメンテーション、ならびにRLCデータPDUの並べ替えに関連するRLCレイヤ機能と、論理チャネルとトランスポートチャネルとの間のマッピング、トランスポートブロック(TB)上へのMAC SDUの多重化、TBからのMAC SDUの逆多重化、スケジューリング情報報告、HARQを介した誤り訂正、優先度処理、および論理チャネル優先度付けに関連するMACレイヤ機能とを提供する。
【００３４】
送信(TX)プロセッサ316および受信(RX)プロセッサ370は、様々な信号処理機能と関連付けられるレイヤ1機能を実装する。物理(PHY)レイヤを含むレイヤ1は、トランスポートチャネル上の誤り検出と、トランスポートチャネルの前方誤り訂正(FEC)コーディング/復号と、インターリービングと、レートマッチングと、物理チャネル上へのマッピングと、物理チャネルの変調/復調と、MIMOアンテナ処理とを含むことがある。TXプロセッサ316は、様々な変調方式(たとえば、2位相シフトキーイング(BPSK)、4位相シフトキーイング(QPSK)、M位相シフトキーイング(M-PSK)、M直交振幅変調(M-QAM))に基づく信号コンスタレーションへのマッピングを扱う。コーディングされ変調されたシンボルは、次いで、並列ストリームに分割されることがある。各ストリームは、次いで、時間領域OFDMシンボルストリームを搬送する物理チャネルを生成するために、OFDMサブキャリアにマッピングされ、時間領域および/または周波数領域で基準信号(たとえば、パイロット)と多重化され、次いで、逆高速フーリエ変換(IFFT)を使用して一緒に合成されることがある。OFDMストリームは、複数の空間ストリームを生成するために空間的にプリコーディングされる。チャネル推定器374からのチャネル推定値は、コーディングおよび変調方式を判定するために、ならびに空間処理のために使用される場合がある。チャネル推定値は、UE350によって送信される基準信号および/またはチャネル状態フィードバックから導出される場合がある。各空間ストリームは、次いで、別個の送信機318TXを介して異なるアンテナ320に供給される場合がある。各送信機318TXは、送信用にそれぞれの空間ストリームでRFキャリアを変調することができる。
【００３５】
UE350において、各受信機354RXは、受信機のそれぞれのアンテナ352を通して信号を受信する。各受信機354RXは、RFキャリア上に変調された情報を復元し、その情報を受信(RX)プロセッサ356に供給する。TXプロセッサ368およびRXプロセッサ356は、様々な信号処理機能と関連付けられるレイヤ1機能を実装する。RXプロセッサ356は、UE350に宛てられた任意の空間ストリームを復元するために、情報に対して空間処理を実施することができる。複数の空間ストリームがUE350に宛てられた場合、複数の空間ストリームは、RXプロセッサ356によって単一のOFDMシンボルストリームに合成される場合がある。次いで、RXプロセッサ356は、高速フーリエ変換(FFT)を使用して、OFDMシンボルストリームを時間領域から周波数領域にコンバートする。周波数領域信号は、OFDM信号のサブキャリアごとに別々のOFDMシンボルストリームを備える。各サブキャリア上のシンボルおよび基準信号は、eNB310によって送信される、可能性が最も高い信号のコンスタレーションポイントを決定することによって復元および復調される。これらの軟判定は、チャネル推定器358によって算出されたチャネル推定値に基づく場合がある。軟判定は、次いで、物理チャネル上でeNB310によって最初に送信されたデータと制御信号とを復元するために復号およびデインターリーブされる。データおよび制御信号は、次いで、レイヤ3およびレイヤ2の機能を実装するコントローラ/プロセッサ359に提供される。
【００３６】
コントローラ/プロセッサ359は、プログラムコードとデータとを記憶するメモリ360と関連付けられ得る。メモリ360は、コンピュータ可読媒体と呼ばれることがある。ULでは、コントローラ/プロセッサ359は、EPC160からのIPパケットを復元するために、トランスポートチャネルと論理チャネルとの間の逆多重化と、パケットリアセンブリと、解読と、ヘッダ解凍と、制御信号処理とを提供する。コントローラ/プロセッサ359はまた、HARQ動作をサポートするために、ACKおよび/またはNACKプロトコルを使用する誤り検出に関与する。
【００３７】
eNB310によるDL送信に関して説明された機能と同様に、コントローラ/プロセッサ359は、システム情報(たとえば、MIB、SIB)収集、RRC接続、および測定報告に関連するRRCレイヤ機能と、ヘッダ圧縮/解凍およびセキュリティ(暗号化、解読、完全性保護、完全性検証)に関連するPDCPレイヤ機能と、上位レイヤPDUの転送、ARQを介した誤り訂正、RLC SDUの連結、セグメンテーション、およびリアセンブリ、RLCデータPDUの再セグメンテーション、ならびにRLCデータPDUの並べ替えに関連するRLCレイヤ機能と、論理チャネルとトランスポートチャネルとの間のマッピング、TB上へのMAC SDUの多重化、TBからのMAC SDUの逆多重化、スケジューリング情報報告、HARQを介した誤り訂正、優先度処理、および論理チャネル優先度付けに関連するMACレイヤ機能とを提供する。
【００３８】
eNB310によって送信された基準信号またはフィードバックから、チャネル推定器358によって導出されたチャネル推定値は、適切なコーディングおよび変調方式を選択するために、ならびに空間処理を容易にするために、TXプロセッサ368によって使用されてもよい。TXプロセッサ368によって生成された空間ストリームは、別個の送信機354TXを介して異なるアンテナ352に提供されることがある。各送信機354TXは、送信のためにそれぞれの空間ストリームでRFキャリアを変調し得る。
【００３９】
UL送信は、UE350における受信機機能に関して説明された方式と同様の方式で、eNB310において処理される。各受信機318RXは、受信機のそれぞれのアンテナ320を通じて信号を受信する。各受信機318RXは、RFキャリア上に変調された情報を復元し、その情報をRXプロセッサ370に提供する。
【００４０】
コントローラ/プロセッサ375は、プログラムコードとデータとを記憶するメモリ376と関連付けられ得る。メモリ376は、コンピュータ可読媒体と呼ばれることがある。ULでは、コントローラ/プロセッサ375は、UE350からのIPパケットを復元するために、トランスポートチャネルと論理チャネルとの間の逆多重化と、パケットリアセンブリと、解読と、ヘッダ解凍と、制御信号処理とを提供する。コントローラ/プロセッサ375からのIPパケットは、EPC160に供給される場合がある。コントローラ/プロセッサ375はまた、ACKおよび/またはNACKプロトコルを使用してHARQ動作をサポートする誤り検出に関与する。
【００４１】
NBワイヤレス通信は、狭帯域の周波数次元が限られているため、特有の問題を伴う。そのようなNBワイヤレス通信の一例はNB-IoTであり、これは、たとえば、180kHzの帯域幅を使用する、システム帯域幅の単一のリソースブロック(RB)に制限される。NBワイヤレス通信の別の例はeMTCであり、これはシステム帯域幅の6つのRBに制限される。この狭帯域通信は、別のキャリア(たとえば、LTEキャリア)内のリソースブロックを利用して「帯域内」で、または別のキャリアのガードバンド内の未使用のリソースブロック内で、または専用スペクトルにおける展開のためにスタンドアロンで展開され得る。複数のユーザ(たとえば、UE)は、狭帯域を利用し得る。UEのうちのいくつかだけが特定の時間にアクティブであり得るが、NB通信は、そのようなマルチユーザ容量をサポートするものとする。
【００４２】
さらに、NB通信は、異なるカバレージ拡張(CE)レベルを必要とする環境におけるデバイスを考慮することによって、深いカバレージを提供する必要があり得る。たとえば、いくつかのデバイスは、20dBものCEを必要とする場合があり、これは、より長いアップリンク送信時間隔(TTI)バンドリングをもたらし、時間リソースをさらに制限する。NB-IoT通信はまた、たとえば約35kmもの大きいセル半径を含み得る。したがって、通信は、長いサイクリックプレフィックス(CP)長を使用し得る200μsなどの長い遅延を伴う可能性がある。
【００４３】
NB送信(たとえば、NB-IoT)は、NB送信を送信するために広帯域リソース(たとえば、LTEリソース)の1PRBを使用することによって、帯域内展開モードを使用して生成され得る。広帯域信号を送信する基地局は、広帯域キャリアにNB信号を埋め込むことができる。これによって、基地局は、周波数領域におけるNBシンボルを対応する広帯域リソース要素と多重化することによって、単一のIDFTを使用してベースバンド信号を生成することができる。
【００４４】
広帯域信号は、広帯域リソース内のNB PRBの中心周波数とは異なる中心周波数を有し得る。たとえば、LTE信号の中心周波数は、すべてのLTE PRBの中心であり、一方、NB-IoT信号の中心周波数は、NB-IoTに使用される特定のPRBの中心である。広帯域信号に対するNB PRBの異なる中心周波数のために、異なるOFDMシンボル間に位相オフセットが存在し得る。eNBは、NB信号のシンボルを、位相オフセットだけ回転させることによって、送信前にこの位相オフセットを補正し得る。これによって、NB信号は、スタンドアロン展開と同様になり得る。
【００４５】
NB信号を受信するUEは、NB信号がスタンドアロン信号ではなく帯域内信号であることを認識しない場合がある。UEは、基地局によって適用される位相回転にかかわらず、NB信号を復調することができ得る。しかしながら、UEは、NB信号を受信するのを助けるために、広帯域基準信号を使用することができない。
【００４６】
UEが広帯域基準信号を使用して、UEが帯域内展開を使用してNB信号を受信するのを支援することを可能にするために、基地局によって使用される位相回転は、時間における既知の基準位置に対して固定され得る。次いで、UEは、広帯域基準信号を含むシンボルと基準位置との関係を使用して、広帯域基準信号に位相回転を適用し得る。広帯域基準信号に位相回転を適用することによって、UEは、基地局がNB信号に適用した位相回転の影響を事実上元に戻す。これは、UEがNB基準信号とともにLTE基準信号を使用してNB信号を復調することを可能にし、たとえば、受信UEがNB-IoT基準信号(NRS)およびLTE基準信号、たとえば、セル固有基準信号(CRS)の共同処理を実行することを可能にする。
【００４７】
LTEとNB-IoTとの間の周波数差は15*N+7.5kHzまたは15*N+2.5kHzであるので、位相差は、2msごと、たとえば、2サブフレームごとにリセットされ得る。たとえば、N+0.5kHzの形の周波数を有し、N整数を有する任意の正弦波は、2msごとに整数のサイクル数を有する。したがって、LTE信号とNB-IoT信号との間の所与の時間上の基準点に関して、位相関係が導入され得る。基準点インスタンスは、2サブフレームごとに起こり得る。したがって、基地局は、2サブフレームごとに繰り返すシンボルごとの位相回転のパターンを適用し得る。
【００４８】
一例では、NB信号は、NB-IoT信号を含み、広帯域信号は、LTE信号を含み得る。この例では、NB-IoT信号およびLTE信号が、2サブフレームごとの第1のOFDMシンボルにおいて同じ位相を有し得る。次いで、CP長、シンボル位置、NB-IoTキャリア周波数とLTEキャリア周波数との差などに基づいて、位相回転パラメータが定義され得る。
【００４９】
図10は、NB信号、たとえば、NB-IoT信号にシンボルごとに適用され得る位相回転の例示的なパターン1000を示す。基準点は、各偶数番号のサブフレームの開始であってもよい。したがって、サブフレーム2のシンボル0の開始は、第1の基準点インスタンス1002であってもよく、サブフレーム4のシンボル0の開始は、第2の基準点インスタンス1004であってもよい。したがって、受信UEは、最後の偶数番号のサブフレームの開始を基準点として使用して位相回転を決定し得る。図10の第1の行は、サブフレーム2および3のOFDMシンボルのシンボル番号を示す。図10の第2の行は、2つのサブフレーム、たとえば、サブフレーム2および3を含む期間中に、各シンボルに対して、シンボルごとに適用され得るそれぞれの位相回転θを示す。図10に示されるように、異なる位相回転が、たとえば、1002と1004との間など、2つの基準点インスタンス間の期間内のシンボルの各々に適用され得る。時間における第2の基準点インスタンス1004であるサブフレーム4の始めにおいて、シンボルごとの位相回転のパターンが、サブフレーム4および5について繰り返され得る。図示のように、サブフレーム2の第1のシンボルに適用される位相回転θ0が、サブフレーム4の第1のシンボルに適用され得る。次いで、サブフレーム2の第2のシンボルに適用されたθ1が、サブフレーム4の第2のシンボルに適用され、以下同様であり得る。図示されていないが、サブフレーム6の開始は、第3の基準点インスタントを含む可能性があり、サブフレーム2および3について図示された同じ位相回転パターンがサブフレーム6および7についてシンボルごとに適用される可能性があり、以下同様である。様々な位相回転θ0〜θ27は、たとえば、以下に示す式を使用して、NB信号の中心の位置と広帯域信号の中心との間の周波数差と、シンボルインデックスとに基づいて計算され得る。
【００５０】
たとえば、NB-IoTでのベースバンド生成は、以下のように定義され得る。
【００５１】
【数１】
2019532548.tif 000003
【００５２】
この式において、
【数２】
2019532548.tif 000004
は、OFDMシンボルl'におけるアンテナポートP上の時間連続信号であり、
【数３】
2019532548.tif 000005
は、最後の偶数サブフレームの開始からカウントした、kがサブキャリアインデックスであり、l'がシンボルインデックスである場合のリソース要素(k, l')の内容であり、NCPは、CPのサンプル数であり、Tsは、サンプリング周波数であり、
【数４】
2019532548.tif 000006
は、RB当たりのサブキャリア数(すなわち、12)である。
【００５３】
この信号の中心周波数(DC)は、中心の2つのリソース要素の間にあってもよく、ハーフトーンシフトが存在する。LTEでのベースバンド信号は、以下のように定義され得る。
【００５４】
【数５】
2019532548.tif 000007
【００５５】
この式において、DCは、中心のサブキャリアに対応することがわかる。
【００５６】
【数６】
2019532548.tif 000008
は、LTEセルのダウンリンク帯域幅(RBの数)である。
【００５７】
NB-IoTベースバンド生成が、式(2)におけるLTE信号の帯域内生成に続いて式(1)に従って生成される場合、追加のシンボル回転が必要とされ得る。1つの可能なアプローチは、送信式を式(3)として定義することである。
【００５８】
【数７】
2019532548.tif 000009
【００５９】
式中、位相θがNB-IoT REにのみ適用され、たとえば、以下のようないくつかの要因に依存し得る。
【００６０】
(1)NB-IoTキャリアとLTEキャリアとの間の周波数差
【００６１】
(2)シンボルが送信される時刻。たとえば、位相差は、2サブフレームごとにリセットされ、そのとき、θは、現在のシンボルと最後の偶数サブフレームとの間のシンボルの数に依存する。
【００６２】
式(2)における信号生成は、スロット内のシンボル番号に関して定義され得る。式(2)を使用した生成は、たとえば、LTE中心周波数とNB-IoT中心周波数との間の周波数回転の周期である2つのサブフレームをカバーするように拡張され得る。
【００６３】
位相差は、現在のOFDMシンボルと最後の基準点(たとえば、2サブフレームごと)との間のサイクリックプレフィックス(CP)および/またはコアOFDMシンボルに使用される全サンプルに基づき得る。この位相差は、一例では、LTE REではなく、NB-IoT REにのみ適用され得る。
【００６４】
これにより、次のように信号を生成することができる。
【００６５】
OFDMシンボルl'におけるアンテナポートP上の時間連続信号
【数８】
2019532548.tif 000010
は、
【数９】
2019532548.tif 000011
が最後の偶数番号のサブフレームの開始からのOFDMシンボルインデックスである場合、式(4)を使用して生成され得る。
【００６６】
【数１０】
2019532548.tif 000012
【００６７】
ただし、0≦t<(NCP,l+N)×Tsであり、ここで、
【数１１】
2019532548.tif 000013
および
【数１２】
2019532548.tif 000014
であり、リソース要素(k, l')がNB-IoTに使用される場合、
【数１３】
2019532548.tif 000015
、そうでない場合、0であり、fNB-IoTは、LTE信号の中心に対して測定されたNB-IoT PRBの中心の周波数位置であり、Nは、コアOFDMシンボル内のサンプルの数である(すなわち、CPをディスカウントする)。
【００６８】
たとえば、上位レイヤパラメータoperationModeInfoが「inband-SamePCI」を示さないNB-IoTキャリアの場合、上位レイヤパラメータCarrierConfigDedicated-NBが存在し、inbandCarrierInfoが存在しないNB-IoTキャリアの場合、または上位レイヤパラメータCarrierConfigDedicated-NBおよびinbandCarrierInfoが存在し、上位レイヤが
【数１４】
2019532548.tif 000016
が
【数１５】
2019532548.tif 000017
と同じであると示さないNB-IoTキャリアの場合、ダウンリンクスロット内のOFDMシンボルlにおけるアンテナポートP上の時間連続信号
【数１６】
2019532548.tif 000018
は、式(1)によって定義され得る。そうでない場合、基地局は、式(4)によって定義される時間連続信号
【数１７】
2019532548.tif 000019
を送信し得る。
【００６９】
NB信号に適用されるシンボルごとの位相オフセットは、時間上の基準点に対して行われるので、UEは、チャネル推定のためにCRSとNRSの両方を正しく使用するために、CRSとNRSとの間の位相差の知識を使用し得る。
【００７０】
基地局について説明されたものと同様のプロセスをUE側で行うことができ、たとえば、UEは、NB信号について基地局によって実行されるものと同様の広帯域信号について位相回転を実行する。このようにして、UEは、基地局によって適用される位相回転の影響を事実上取り除き、現在、広帯域信号とNB信号の両方について同じ位相回転を有する多重化信号を復調することができる。UEは、広帯域基準信号のみを必要とするので、広帯域信号のその部分、たとえば、CRSのみを回転させ得る。これによって、UEは、NB信号を受信するために、NRSとともにCRSを使用することが可能になる。
【００７１】
たとえば、UEは、NBキャリア周波数を使用して信号をダウンコンバートし得る。UEは、CRSとNRSとの間の位相差の基準点を決定する。この基準点を使用して、現在のシンボルタイミングを考慮して、UEは、CRS信号に回転を適用する。次いで、UEは、CRS信号およびNRS信号からチャネルを推定することができる。
【００７２】
これを行う代替方法は、広帯域(たとえば、LTE)キャリア周波数を使用してダウンコンバートし、基地局によって適用された回転を元に戻すために、NRSおよびNBデータシンボルを、対応する位相だけ回転させることによる。UEは、CRSを回転させるのではなく、この方法で、NB信号の回転を元に戻すのと同様の効果を達成することができるが、この例では、UEがNRSだけでなくNBデータについても位相回転を実行する必要がある。したがって、UEが、NBキャリア周波数を使用してダウンコンバートし、CRSのみを回転させることがより効率的であり得る。
【００７３】
さらに、別の例では、UEがシンボルごとの位相回転のパターンが基地局で始まる基準点を認識していないとき、UEは、所与の時点で位相差を推定し、次いで、その時点から位相基準点を決定しようと試みることができる。位相差が任意の特定の瞬間に既知である場合、UEは、残りの位相差を決定し得る。この推定は、たとえば、CRS信号の位相(デスクランブリング後)をNRS信号と比較することによって行うことができる。
【００７４】
図4は、ワイヤレス通信の方法のフローチャート400である。この方法は、基地局(たとえば、eNB102、180、310、850、装置502/502')によって実施されてもよい。基地局は、NB-IoT信号などのNB信号を送信するように構成されてもよく、広帯域リソースを使用してNB信号を送信してもよい。たとえば、基地局は、広帯域信号内にNB信号を多重化し得る。
【００７５】
NB信号の周波数の中心は、広帯域信号の周波数の中心とは異なり得る。したがって、402で、基地局は、広帯域リソースを使用して送信するためのNB信号についてのシンボルごとの位相オフセットを決定し、位相オフセットは、時間上の基準点との関係、たとえば、図10に関連して説明したような固定関係を有する。NB信号は、NB-IoT信号を含み、広帯域リソースは、LTEリソースを含み得る。基準点は、たとえば、広帯域リソース内の基準シンボルを含み得る。この関係は、基準シンボルに対するインデックスに対応し得る。たとえば、基地局は、上述した式(3)に関連して説明したように、位相オフセットを決定してもよい。
【００７６】
次いで、404で、基地局は、決定された位相オフセットを使用して、NB信号を送信する。広帯域基準シンボルに対するNB信号の位相オフセットを決定することによって、受信UEは、広帯域基準シンボルの知識をNB基準信号とともに使用して、チャネル推定を実行するか、さもなければ、NB信号の受信を支援し得る。
【００７７】
図4に示す方法の一部として、基地局は、406で、周波数領域においてNB信号の第1のシンボルを生成し得る。次いで、基地局は、408で、NB信号の第1のシンボルに第1の決定された位相オフセットを乗算し得る。410で、eNBは、周波数領域における広帯域信号の広帯域シンボル内にNB信号の第1のシンボルを多重化し得る。404でNB信号を送信することは、410からの多重化信号を送信することを含み得る。基地局は同様に、NB信号の第2のシンボルに第2の所定の位相オフセットを乗算すること、NB信号の第3のシンボルに第3の所定の位相オフセットを乗算することなどを、パターンで行い得る。次の基準インスタンスにおいて、基地局は、シンボルごとの位相オフセットのパターンを繰り返すことができる。
【００７８】
402での位相オフセットは、NB信号の第1の周波数中心と広帯域信号の第2の周波数中心との間の周波数分離と、時間上の基準点からのシンボル数を示すシンボルインデックスとに基づき得る。したがって、基地局は、412で、NB信号の第1の周波数中心と広帯域信号の第2の周波数中心との間の周波数分離を決定することができる。基地局はまた、414で、たとえば、時間上の基準点からのシンボルの数を決定することを含めて、シンボルインデックスを決定してもよい。したがって、位相オフセットは、周波数分離およびシンボルインデックスを使用して決定され得る。時間上の基準点は、特定のサブフレーム、たとえば、偶数番号のサブフレームに含まれてもよい。たとえば、時間上の基準点は、最後の偶数番号のサブフレームの開始であってもよい。
【００７９】
図5は、例示的な装置502内の様々な手段/構成要素間のデータフローを示す概念データフロー図500である。装置は基地局、たとえば、eNB102、180、310、850であってもよい。装置は、UE550からUL通信を受信する受信構成要素504と、信号、たとえば、DL信号をUE550に送信する送信構成要素506とを含む。UE550は、UE104、350、装置802、802'に対応し得る。送信構成要素506は、広帯域信号とNB信号の両方を送信し得る。NB信号は、広帯域リソース内で送信され得る。装置502はまた、NB信号のシンボルを生成するNB信号構成要素510と、広帯域リソースを使用して送信するためのNB信号についての位相オフセットを決定する位相オフセット構成要素508であり、位相オフセットが時間上の基準点と固定関係を有する、位相オフセット構成要素508と、NB信号のシンボルに、位相オフセット構成要素508によって決定された位相オフセットを乗算する乗算構成要素512と、周波数領域における広帯域信号のシンボル内にNB信号のシンボルを多重化する多重化構成要素514とを含み得る。
【００８０】
送信構成要素506は、たとえば、位相オフセット構成要素508によって決定されたものなど、対応する決定された位相オフセットを使用して、NB信号の各シンボルを送信し得る。
【００８１】
装置は、図4の上述のフローチャート中のアルゴリズムのブロックの各々を実行する追加の構成要素を含む場合がある。したがって、図4の上述のフローチャートの中の各ブロックは、1つの構成要素によって実行されることがあり、装置は、それらの構成要素のうちの1つまたは複数を含むことがある。構成要素は、述べられたプロセス/アルゴリズムを遂行するように具体的に構成された1つまたは複数のハードウェア構成要素であるか、述べられたプロセス/アルゴリズムを実行するように構成されたプロセッサによって実装されるか、プロセッサによる実装のためにコンピュータ可読媒体内に記憶されるか、またはそれらの何らかの組合せであってもよい。
【００８２】
図6は、処理システム614を採用する装置502'のためのハードウェア実装形態の一例を示す図600である。処理システム614は、バス624によって全体的に表されたバスアーキテクチャで実装され得る。バス624は、処理システム614の特定のアプリケーションおよび全体的な設計制約に応じて、任意の数の相互接続するバスおよびブリッジを含んでもよい。バス624は、少なくとも1つのプロセッサ604によって表される1つまたは複数のプロセッサおよび/またはハードウェア構成要素と、構成要素504、506、508、510、512、514と、コンピュータ可読媒体/メモリ606とを含む様々な回路を互いにリンクする。バス624はまた、タイミングソース、周辺装置、電圧調整器、および電力管理回路などの、様々な他の回路をリンクし得るが、これらの回路は当技術分野においてよく知られており、したがって、これらの回路はこれ以上説明されない。
【００８３】
処理システム614は、トランシーバ610に結合されてもよい。トランシーバ610は、アンテナ620の1つまたは複数に結合される。トランシーバ610は、伝送媒体を介して様々な他の装置と通信するための手段を実現する。トランシーバ610は、1つまたは複数のアンテナ620から信号を受信し、受信された信号から情報を抽出し、抽出された情報を処理システム614、特に受信構成要素504に提供する。さらに、トランシーバ610は、処理システム614、特に送信構成要素506から情報を受信し、受信された情報に基づいて、1つまたは複数のアンテナ620に印加されるべき信号を生成する。処理システム614は、コンピュータ可読媒体/メモリ606に結合されたプロセッサ604を含む。プロセッサ604は、コンピュータ可読媒体/メモリ606に記憶されたソフトウェアの実行を含む、一般的な処理を担う。ソフトウェアは、プロセッサ604によって実行されたときに、任意の特定の装置に対して上記に記載された様々な機能を処理システム614に実行させる。コンピュータ可読媒体/メモリ606は、ソフトウェアを実行するときにプロセッサ604によって操作されるデータを記憶するためにも使用されることがある。処理システム614は、構成要素504、506、508、510、512、514のうちの少なくとも1つをさらに含む。それらの構成要素は、プロセッサ604内で動作し、コンピュータ可読媒体/メモリ606に存在する/記憶されたソフトウェア構成要素、プロセッサ604に結合された1つもしくは複数のハードウェア構成要素、またはそれらの何らかの組合せであってもよい。処理システム614は、eNB310の構成要素であってよく、メモリ376、ならびに/または、TXプロセッサ316、RXプロセッサ370、およびコントローラ/プロセッサ375のうちの少なくとも1つを含んでよい。
【００８４】
一構成では、ワイヤレス通信のための装置502/502'は、位相オフセットを決定するための手段、送信するための手段、NB信号のシンボルを生成するための手段、NB信号の第1のシンボルを乗算するための手段、およびNB信号の第1のシンボルを多重化するための手段を含む。上述の手段は、上述の手段によって列挙された機能を実行するように構成された装置502の上述の構成要素、および/または装置502'の処理システム614の上述の構成要素のうちの1つまたは複数であってもよい。上記で説明したように、処理システム614は、TXプロセッサ316と、RXプロセッサ370と、コントローラ/プロセッサ375とを含む場合がある。したがって、一構成では、上述の手段は、上述の手段によって列挙された機能を実施するように構成されたTXプロセッサ316、RXプロセッサ370、およびコントローラ/プロセッサ375であってもよい。
【００８５】
図7は、ワイヤレス通信の方法のフローチャート700である。方法は、UE(たとえば、UE104、350、550、装置802/802')によって実行され得る。702で、UEは、基地局(たとえば、eNB102、180、850、装置502、502')から広帯域信号内の周波数位置を有するNB信号を受信する。これは、たとえば、図4に関して説明した404で送信される信号と同様であり得る。
【００８６】
受信された信号を復調するために、UEは、704で、広帯域信号のシンボルの少なくとも一部を、時間上の基準点との関係、たとえば、固定関係を有するシンボルごとの位相オフセットだけ回転させ得る。たとえば、UEは、基地局についての式(3)に関して説明したような位相オフセットを決定し得る。時間上の基準点は、広帯域信号内の基準シンボルを含み得る。この関係は、基準シンボルに対するインデックスに対応し得る。基準点は、偶数番号のサブフレームを含むことができ、たとえば、基準点は、最後の偶数番号のサブフレームの開始を含み得る。NB信号は、NB-IoT信号を含み、広帯域信号は、LTE信号を含み得る。
【００８７】
706で、UEは、NB信号受信のための動作モードを決定し得る。たとえば、UEは、NB信号が帯域内展開であるかどうかを決定し得る。代わりに、UEは、動作モードをスタンドアロンモードであると決定した場合、たとえば、708で、回転の実行を控え得る。UEは、動作モードが帯域内であると決定した場合、704に進み得る。
【００８８】
広帯域信号のシンボルは、対応するNB基準信号、たとえばNRSに対して回転される広帯域基準信号、たとえばCRSを含み得る。704で適用される回転は、基地局においてNBに適用される位相回転の影響を取り除くために、CRSに適用され得る。これによって、UEは、たとえば、チャネル推定を実行し、および/またはさもなければ、NB信号の受信を支援するために、広帯域基準信号をNB基準信号と組み合わせて使用することが可能になる。
【００８９】
広帯域基準信号に適用される相対的回転は、NB信号の第1の周波数中心と、広帯域信号の第2の周波数中心との間の周波数分離と、シンボルインデックスとに対応し得る。図10に示すように、位相回転のパターンは、2つの信号の周波数中心間の差に従って、シンボルごとに基地局によってNB信号に適用され得る。したがって、UEは同様に、広帯域基準信号のシンボルインデックスに従って、周波数中心の同じ差に基づいて位相回転を適用し得る。
【００９０】
UEは、710で、リソース要素の第1のセットの第1の位相と、リソース要素の第2のセットの第2の位相とを比較することによって、位相差を決定し得る。704での広帯域信号のシンボルの回転は、少なくとも決定された位相差に基づき得る。リソース要素の第1のセットは、CRSを備え、リソース要素の第2のセットはNRSを備え得る。
【００９１】
UEは、714で、CRSに基づく第1のチャネル推定を、NRSに基づく第2のチャネル推定と結合し、716で、NB信号を、結合されたチャネル推定により復調し得る。チャネル推定値を決定することは、712で、対応する基準信号についてシンボル回転を実行した後、CRSおよびNRSの少なくとも一部をデスクランブルすることを含み得る。たとえば、UEは、704で、シンボルの回転を実行した後、CRSの一部をデスクランブルし得る。
【００９２】
図8は、例示的な装置802内の様々な手段/構成要素間のデータフローを示す概念データ流れ図800である。この装置はUEであり得る。この装置は、広帯域信号内の周波数位置を有するNB信号など、基地局850からDL通信を受信する受信構成要素804と、基地局850にUL通信を送信する送信構成要素806とを含む。装置802はまた、たとえば、NB信号と広帯域信号との間の位相差の決定を含む、時間上の基準点に対する位相オフセットの固定関係を使用して、広帯域信号のシンボルを、位相オフセットだけ回転させる回転構成要素810を含み得る。装置802は、NB信号受信のための動作モードを決定する動作モード構成要素808と、広帯域基準信号およびNB基準信号のうちの少なくとも1つをデスクランブルするデスクランブル構成要素812と、CRSに基づくチャネル推定をNRSに基づくチャネル推定と結合するチャネル推定構成要素814と、NB信号を結合されたチャネル推定により復調する復調構成要素816とを含み得る。
【００９３】
装置は、図7の上述のフローチャート中のアルゴリズムのブロックの各々を実行する追加の構成要素を含む場合がある。したがって、図7の上述のフローチャートの中の各ブロックは、1つの構成要素によって実行されることがあり、装置は、それらの構成要素のうちの1つまたは複数を含むことがある。構成要素は、述べられたプロセス/アルゴリズムを遂行するように具体的に構成された1つまたは複数のハードウェア構成要素であるか、述べられたプロセス/アルゴリズムを実行するように構成されたプロセッサによって実装されるか、プロセッサによる実装のためにコンピュータ可読媒体内に記憶されるか、またはそれらの何らかの組合せであってもよい。
【００９４】
図9は、処理システム914を採用する装置802'のためのハードウェア実装形態の一例を示す図900である。処理システム914は、バス924によって全体的に表されるバスアーキテクチャで実装されてよい。バス924は、処理システム914の特定の適用例および全体的な設計制約に応じて、任意の数の相互接続するバスおよびブリッジを含んでもよい。バス924は、プロセッサ904によって表される1つまたは複数のプロセッサおよび/またはハードウェア構成要素と、構成要素804、806、808、810、812、814、および816と、コンピュータ可読媒体/メモリ906とを含む様々な回路を互いにリンクする。バス924はまた、タイミングソース、周辺機器、電圧調整器、および電力管理回路などの様々な他の回路をリンクさせることができ、これらの回路は当技術分野でよく知られており、したがってこれらについてはこれ以上説明しない。
【００９５】
処理システム914は、トランシーバ910に結合されてもよい。トランシーバ910は1つまたは複数のアンテナ920に結合される。トランシーバ910は、伝送媒体上の様々な他の装置と通信するための手段を提供する。トランシーバ910は、1つまたは複数のアンテナ920から信号を受信し、受信された信号から情報を抽出し、抽出された情報を処理システム914、特に受信構成要素804に提供する。さらに、トランシーバ910は、処理システム914、特に送信構成要素806から情報を受信し、受信された情報に基づいて、1つまたは複数のアンテナ920に印加されるべき信号を生成する。処理システム914は、コンピュータ可読媒体/メモリ906に結合されたプロセッサ904を含む。プロセッサ904は、コンピュータ可読媒体/メモリ906上に記憶されたソフトウェアの実行を含む全般的な処理を担う。ソフトウェアは、プロセッサ904によって実行されると、処理システム914に任意の特定の装置に関して上で説明された様々な機能を実行させる。コンピュータ可読媒体/メモリ906は、ソフトウェアを実行するときにプロセッサ904によって操作されるデータを記憶するためにも使用される場合がある。処理システム914は、構成要素804、806、808、810、812、814、および816のうちの少なくとも1つをさらに含む。それらの構成要素は、プロセッサ904内で動作し、コンピュータ可読媒体/メモリ906に常駐する/記憶されたソフトウェア構成要素、プロセッサ904に結合された1つもしくは複数のハードウェア構成要素、またはそれらの何らかの組合せであり得る。処理システム914は、UE350の構成要素である場合があり、メモリ360、ならびに/またはTXプロセッサ368、RXプロセッサ356、およびコントローラ/プロセッサ359のうちの少なくとも1つを含む場合がある。
【００９６】
一構成では、ワイヤレス通信のための装置802/802'は、受信するための手段、広帯域信号のシンボルを回転させるための手段、動作モードを決定するための手段、および位相差を決定するための手段を含む。上述された手段は、上述された手段によって具陳された機能を実行するように構成された、装置802の上述された構成要素、および/または装置802'の処理システム914のうちの1つまたは複数であり得る。上記で説明されたように、処理システム914は、TXプロセッサ368、RXプロセッサ356、およびコントローラ/プロセッサ359を含む場合がある。そのため、一構成では、上述の手段は、上述の手段によって列挙された機能を実行するように構成されたTXプロセッサ368、RXプロセッサ356、およびコントローラ/プロセッサ359であり得る。
【００９７】
開示されたプロセス/フローチャートにおけるブロックの特定の順序または階層が例示的な手法の例示であることを理解されたい。設計上の選好に基づいて、プロセス/フローチャートにおけるブロックの特定の順序または階層が再構成される場合があることを理解されたい。さらに、いくつかのブロックは組み合わされてもよく、または省略されてもよい。添付の方法クレームは、様々なブロックの要素を例示的な順序で提示したものであり、提示された特定の順序または階層に限定されるものではない。
【００９８】
上述の説明は、本明細書で説明された様々な態様を当業者が実践できるようにするために提供される。これらの態様への様々な変更は当業者に容易に明らかになり、本明細書で定義される一般原理は他の態様に適用されてもよい。したがって、特許請求の範囲は、本明細書に示される態様に限定されるものではなく、クレーム文言と一致するすべての範囲を与えられるべきであり、単数形での要素への言及は、そのように明記されていない限り、「唯一無二の」ではなく、「1つまたは複数の」を意味するものとする。「例示的」という単語は、本明細書では「例、事例、または例示としての働きをすること」を意味するために使用される。本明細書で「例示的」として説明されている任意の態様は、必ずしも他の態様よりも好ましいまたは有利であると解釈されるべきではない。その他の形で特に述べられない限り、「いくつかの」という用語は、1つまたは複数を指す。「A、B、またはCのうちの少なくとも1つ」、「A、B、またはCのうちの1つまたは複数」、「A、B、およびCのうちの少なくとも1つ」、「A、B、およびCのうちの1つまたは複数」、「A、B、C、またはそれらの任意の組合せ」などの組合せは、A、B、および/またはCの任意の組合せを含み、複数のA、複数のB、または複数のCを含み得る。具体的には、「A、B、またはCのうちの少なくとも1つ」、「A、B、またはCのうちの1つまたは複数」、「A、B、およびCのうちの少なくとも1つ」、「A、B、およびCのうちの1つまたは複数」、「A、B、C、またはそれらの任意の組合せ」などの組合せは、Aのみ、Bのみ、Cのみ、AおよびB、AおよびC、BおよびC、またはAおよびBおよびCであってもよく、任意のそのような組合せは、A、B、またはCのうちの1つまたは複数のメンバーを含み得る。当業者に知られているか、または後に知られることになる、本開示全体を通じて説明された様々な態様の要素に対するすべての構造的および機能的均等物が、参照により本明細書に明確に組み込まれ、特許請求の範囲によって包含されることが意図される。さらに、本明細書で開示したものは、そのような開示が特許請求の範囲に明示的に列挙されているかどうかにかかわらず、公に供されるものではない。「モジュール」、「機構」、「要素」、「デバイス」などの単語は、「手段」という単語の代用ではないことがある。したがって、いかなるクレーム要素も、その要素が「のための手段」という語句を使用して明確に列挙されていない限り、ミーンズプラスファンクションとして解釈されるべきではない。
【符号の説明】
【００９９】
100  アクセスネットワーク
102  基地局、eNB
102'  スモールセル
104  UE
110  カバレージエリア
110'  カバレージエリア
120  通信リンク
132  バックホールリンク
134  バックホールリンク
150  Wi-Fiアクセスポイント(AP)
152  Wi-Fi局(STA)
154  通信リンク
160  発展型パケットコア(EPC)
162  モビリティ管理エンティティ(MME)
164  他のMME
166  サービングゲートウェイ
168  マルチメディアブロードキャストマルチキャストサービス(MBMS)ゲートウェイ
170  ブロードキャストマルチキャストサービスセンタ(BM-SC)
172  パケットデータネットワーク(PDN)ゲートウェイ
174  ホーム加入者サーバ(HSS)
176  IPサービス
180  ミリメートル波(mmW)基地局、eNB
182  UE
184  ビームフォーミング
198  位相回転構成要素
310  eNB
316  送信(TX)プロセッサ
318  送信機
320  アンテナ
350  UE
352  アンテナ
354  受信機
356  受信(RX)プロセッサ
358  チャネル推定器
359  コントローラ/プロセッサ
360  メモリ
368  TXプロセッサ
370  受信(RX)プロセッサ
374  チャネル推定器
375  コントローラ/プロセッサ
376  メモリ
502  装置
502'  装置
504  受信構成要素
506  送信構成要素
508  位相オフセット構成要素
510  NB信号構成要素
512  乗算構成要素
514  多重化構成要素
550  UE
604  プロセッサ
606  コンピュータ可読媒体/メモリ
610  トランシーバ
614  処理システム
620  アンテナ
624  バス
802  装置
802'  装置
804  受信構成要素
806  送信構成要素
808  動作モード構成要素
810  回転構成要素
812  デスクランブル構成要素
814  チャネル推定構成要素
816  復調構成要素
850  eNB
904  プロセッサ
906  コンピュータ可読媒体/メモリ
910  トランシーバ
914  処理システム
920  アンテナ
924  バス
1000  パターン
1002  第1の基準点インスタンス
1004  第2の基準点インスタンス
【図１】
2019532548.tif 000020
【図２Ａ】
2019532548.tif 000021
【図２Ｂ】
2019532548.tif 000022
【図２Ｃ】
2019532548.tif 000023
【図２Ｄ】
2019532548.tif 000024
【図３】
2019532548.tif 000025
【図４】
2019532548.tif 000026
【図５】
2019532548.tif 000027
【図６】
2019532548.tif 000028
【図７】
2019532548.tif 000029
【図８】
2019532548.tif 000030
【図９】
2019532548.tif 000031
【図１０】
2019532548.tif 000032
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
基地局におけるワイヤレス通信のための方法であって、
広帯域リソースを使用して送信するための狭帯域信号についての位相オフセットを決定するステップであって、前記位相オフセットが、時間上の基準点との関係を有する、ステップと、
前記決定された位相オフセットを使用して前記狭帯域信号を送信するステップと
を含む、方法。
【請求項２】
前記基準点が、前記広帯域リソース内の基準シンボルを含み、前記関係が、前記基準シンボルに対するインデックスに対応する、請求項1に記載の方法。
【請求項３】
前記狭帯域信号が、狭帯域IoT(NB-IoT)信号を含み、前記広帯域リソースが、ロングタームエボリューション(LTE)リソースを含む、請求項1に記載の方法。
【請求項４】
前記方法が、
周波数領域において前記狭帯域信号の第1のシンボルを生成するステップと、
前記狭帯域信号の前記第1のシンボルに第1の決定された位相オフセットを乗算するステップと、
前記周波数領域における広帯域信号の広帯域シンボル内に、前記第1の決定された位相オフセットと乗算された、前記狭帯域信号の前記第1のシンボルを多重化するステップと
をさらに含み、
前記狭帯域信号を送信するステップが、前記広帯域信号内に多重化された前記狭帯域信号の前記第1のシンボルを含む多重化信号を送信するステップを含む、請求項1に記載の方法。
【請求項５】
前記位相オフセットが、前記狭帯域信号の第1の周波数中心と広帯域信号の第2の周波数中心との間の周波数分離と、時間上の前記基準点からのシンボル数を示すシンボルインデックスとに基づく、請求項1に記載の方法。
【請求項６】
時間上の前記基準点が、偶数番号のサブフレームに含まれる、請求項5に記載の方法。
【請求項７】
時間上の前記基準点が、最後の偶数番号のサブフレームの開始である、請求項6に記載の方法。
【請求項８】
基地局におけるワイヤレス通信のための装置であって、
広帯域リソースを使用して送信するための狭帯域信号についての位相オフセットを決定するための手段であって、前記位相オフセットが、時間上の基準点との関係を有する、手段と、
前記決定された位相オフセットを使用して前記狭帯域信号を送信するための手段と
を含む、装置。
【請求項９】
前記基準点が、前記広帯域リソース内の基準シンボルを含み、前記関係が、前記基準シンボルに対するインデックスに対応する、請求項8に記載の装置。
【請求項１０】
前記狭帯域信号が、狭帯域IoT(NB-IoT)信号を含み、前記広帯域リソースが、ロングタームエボリューション(LTE)リソースを含む、請求項8に記載の装置。
【請求項１１】
周波数領域において前記狭帯域信号の第1のシンボルを生成するための手段と、
前記狭帯域信号の前記第1のシンボルに第1の決定された位相オフセットを乗算するための手段と、
前記周波数領域における広帯域信号の広帯域シンボル内に、前記第1の決定された位相オフセットと乗算された、前記狭帯域信号の前記第1のシンボルを多重化するための手段と
をさらに含み、
前記狭帯域信号を送信することが、前記広帯域信号内に多重化された前記狭帯域信号の前記第1のシンボルを含む多重化信号を送信することを含む
請求項8に記載の装置。
【請求項１２】
前記位相オフセットが、前記狭帯域信号の第1の周波数中心と広帯域信号の第2の周波数中心との間の周波数分離と、時間上の前記基準点からのシンボル数を示すシンボルインデックスとに基づく、請求項8に記載の装置。
【請求項１３】
時間上の前記基準点が、偶数番号のサブフレームに含まれる、請求項12に記載の装置。
【請求項１４】
時間上の前記基準点が、最後の偶数番号のサブフレームの開始である、請求項13に記載の装置。
【請求項１５】
基地局におけるワイヤレス通信のための装置であって、
メモリと、
前記メモリに結合された少なくとも1つのプロセッサとを備え、前記プロセッサが、
広帯域リソースを使用して送信するための狭帯域信号についての位相オフセットを決定し、前記位相オフセットが、時間上の基準点との関係を有し、
前記決定された位相オフセットを使用して前記狭帯域信号を送信する
ように構成される、装置。
【請求項１６】
前記基準点が、前記広帯域リソース内の基準シンボルを含み、前記関係が、前記基準シンボルに対するインデックスに対応する、請求項15に記載の装置。
【請求項１７】
前記狭帯域信号が、狭帯域IoT(NB-IoT)信号を含み、前記広帯域リソースが、ロングタームエボリューション(LTE)リソースを含む、請求項16に記載の装置。
【請求項１８】
前記少なくとも1つのプロセッサがさらに、
周波数領域において前記狭帯域信号の第1のシンボルを生成し、
前記狭帯域信号の前記第1のシンボルに第1の決定された位相オフセットを乗算し、
前記周波数領域における広帯域信号の広帯域シンボル内に、前記第1の決定された位相オフセットと乗算された、前記狭帯域信号の前記第1のシンボルを多重化する
ように構成され、
前記狭帯域信号を送信することが、前記広帯域信号内に多重化された前記狭帯域信号の前記第1のシンボルを含む多重化信号を送信することを含む、請求項15に記載の装置。
【請求項１９】
前記位相オフセットが、前記狭帯域信号の第1の周波数中心と広帯域信号の第2の周波数中心との間の周波数分離と、時間上の前記基準点からのシンボル数を示すシンボルインデックスとに基づく、請求項15に記載の装置。
【請求項２０】
時間上の前記基準点が、偶数番号のサブフレームに含まれる、請求項19に記載の装置。
【請求項２１】
時間上の前記基準点が、最後の偶数番号のサブフレームの開始である、請求項20に記載の装置。
【請求項２２】
基地局におけるワイヤレス通信のためのコンピュータ実行可能コードを記憶するコンピュータ可読記憶媒体であって、
広帯域リソースを使用して送信するための狭帯域信号についての位相オフセットを決定し、前記位相オフセットが、時間上の基準点との関係を有し、
前記決定された位相オフセットを使用して前記狭帯域信号を送信する
ためのコードを含む、コンピュータ可読記憶媒体。
【請求項２３】
前記基準点が、前記広帯域リソース内の基準シンボルを含み、前記関係が、前記基準シンボルに対するインデックスに対応する、請求項22に記載のコンピュータ可読記憶媒体。
【請求項２４】
前記狭帯域信号が、狭帯域IoT(NB-IoT)信号を含み、前記広帯域リソースが、ロングタームエボリューション(LTE)リソースを含む、請求項22に記載のコンピュータ可読記憶媒体。
【請求項２５】
周波数領域において前記狭帯域信号の第1のシンボルを生成し、
前記狭帯域信号の前記第1のシンボルに第1の決定された位相オフセットを乗算し、
前記周波数領域における広帯域信号の広帯域シンボル内に、前記第1の決定された位相オフセットと乗算された、前記狭帯域信号の前記第1のシンボルを多重化する
ためのコードをさらに含み、
前記狭帯域信号を送信することが、前記広帯域信号内に多重化された前記狭帯域信号の前記第1のシンボルを含む多重化信号を送信することを含む、請求項22に記載のコンピュータ可読記憶媒体。
【請求項２６】
前記位相オフセットが、前記狭帯域信号の第1の周波数中心と広帯域信号の第2の周波数中心との間の周波数分離と、時間上の前記基準点からのシンボル数を示すシンボルインデックスとに基づく、請求項22に記載のコンピュータ可読記憶媒体。
【請求項２７】
時間上の前記基準点が、偶数番号のサブフレームに含まれる、請求項26に記載のコンピュータ可読記憶媒体。
【請求項２８】
時間上の前記基準点が、最後の偶数番号のサブフレームの開始である、請求項27に記載のコンピュータ可読記憶媒体。
【請求項２９】
ユーザ機器(UE)におけるワイヤレス通信のための方法であって、
広帯域信号内の周波数位置を有する狭帯域信号を受信するステップと、
前記広帯域信号のシンボルを、時間上の基準点との関係を有するシンボルごとの位相オフセットだけ回転させるステップと
を含む、方法。
【請求項３０】
前記基準点が、前記広帯域信号内の基準シンボルを含み、前記関係が、前記基準シンボルに対するインデックスに対応する、請求項29に記載の方法。
【請求項３１】
前記基準点が、偶数番号のサブフレームに含まれる、請求項29に記載の方法。
【請求項３２】
前記基準点が、最後の偶数番号のサブフレームの開始である、請求項31に記載の方法。
【請求項３３】
前記狭帯域信号が、狭帯域IoT(NB-IoT)信号を含み、前記広帯域信号が、ロングタームエボリューション(LTE)信号を含む、請求項29に記載の方法。
【請求項３４】
狭帯域信号受信のための動作モードを決定するステップをさらに含み、
前記広帯域信号の前記シンボルが、対応する狭帯域基準信号に対して回転される広帯域基準信号を含む、請求項29に記載の方法。
【請求項３５】
前記広帯域基準信号の相対的回転が、前記狭帯域信号の第1の周波数中心と、前記広帯域信号の第2の周波数中心との間の周波数分離と、シンボルインデックスとに対応する、請求項34に記載の方法。
【請求項３６】
リソース要素の第1のセットの第1の位相と、リソース要素の第2のセットの第2の位相とを比較することによって位相差を決定するステップであって、前記広帯域信号の前記シンボルの前記相対的回転が、少なくとも前記決定された位相差に基づく、ステップをさらに含む、請求項35に記載の方法。
【請求項３７】
前記リソース要素の第1のセットが、セル固有基準信号(CRS)を含み、前記リソース要素の第2のセットが、狭帯域基準信号(NRS)を含む、請求項36に記載の方法。
【請求項３８】
前記広帯域基準信号が、セル固有基準信号(CRS)を含む、請求項34に記載の方法。
【請求項３９】
前記受信するステップが、
前記CRSに基づく第1のチャネル推定を、狭帯域基準信号(NRS)に基づいて、第2のチャネル推定と結合するステップと、
前記狭帯域信号を結合されたチャネル推定により復調するステップと
をさらに含む、請求項38に記載の方法。
【請求項４０】
前記CRSに基づいて前記第1のチャネル推定を決定し、前記NRSに基づいて前記第2のチャネル推定を決定することが、対応する基準信号についてシンボル回転を実行した後、前記CRSおよび前記NRSの少なくとも一部をデスクランブルすることを含む、請求項39に記載の方法。
【請求項４１】
ユーザ機器(UE)におけるワイヤレス通信のための装置であって、
広帯域信号内の周波数位置を有する狭帯域信号を受信するための手段と、
前記広帯域信号のシンボルを、時間上の基準点との関係を有するシンボルごとの位相オフセットだけ回転させるための手段と
を含む、装置。
【請求項４２】
前記基準点が、前記広帯域信号内の基準シンボルを含み、前記関係が、前記基準シンボルに対するインデックスに対応する、請求項41に記載の装置。
【請求項４３】
前記基準点が、偶数番号のサブフレームに含まれる、請求項41に記載の装置。
【請求項４４】
前記基準点が、最後の偶数番号のサブフレームの開始である、請求項43に記載の装置。
【請求項４５】
前記狭帯域信号が、狭帯域IoT(NB-IoT)信号を含み、前記広帯域信号が、ロングタームエボリューション(LTE)信号を含む、請求項41に記載の装置。
【請求項４６】
狭帯域信号受信のための動作モードを決定するための手段をさらに含み、
前記広帯域信号の前記シンボルが、対応する狭帯域基準信号に対して回転される広帯域基準信号を含む、請求項41に記載の装置。
【請求項４７】
前記広帯域基準信号の相対的回転が、前記狭帯域信号の第1の周波数中心と、前記広帯域信号の第2の周波数中心との間の周波数分離と、シンボルインデックスとに対応する、請求項46に記載の装置。
【請求項４８】
リソース要素の第1のセットの第1の位相と、リソース要素の第2のセットの第2の位相とを比較することによって位相差を決定するための手段であって、前記広帯域信号の前記シンボルの前記相対的回転が、少なくとも前記決定された位相差に基づく、手段をさらに備える、請求項47に記載の装置。
【請求項４９】
前記リソース要素の第1のセットが、セル固有基準信号(CRS)を含み、前記リソース要素の第2のセットが、狭帯域基準信号(NRS)を含む、請求項48に記載の装置。
【請求項５０】
前記広帯域基準信号が、セル固有基準信号(CRS)を含む、請求項46に記載の装置。
【請求項５１】
受信するための前記手段が、
前記CRSに基づく第1のチャネル推定を、狭帯域基準信号(NRS)に基づいて、第2のチャネル推定と結合するための手段と、
前記狭帯域信号を結合されたチャネル推定により復調するための手段と
をさらに備える、請求項50に記載の装置。
【請求項５２】
前記CRSに基づいて前記第1のチャネル推定を決定し、前記NRSに基づいて前記第2のチャネル推定を決定することが、対応する基準信号についてシンボル回転を実行した後、前記CRSおよび前記NRSの少なくとも一部をデスクランブルすることを含む、請求項51に記載の装置。
【請求項５３】
ユーザ機器(UE)におけるワイヤレス通信のための装置であって、
メモリと、
前記メモリに結合された少なくとも1つのプロセッサとを備え、前記プロセッサが、
広帯域信号内の周波数位置を有する狭帯域信号を受信し、
前記広帯域信号のシンボルを、時間上の基準点との関係を有するシンボルごとの位相オフセットだけ回転させる
ように構成される、装置。
【請求項５４】
前記基準点が、前記広帯域信号内の基準シンボルを含み、前記関係が、前記基準シンボルに対するインデックスに対応する、請求項53に記載の装置。
【請求項５５】
前記基準点が、偶数番号のサブフレームに含まれる、請求項53に記載の装置。
【請求項５６】
前記基準点が、最後の偶数番号のサブフレームの開始である、請求項55に記載の装置。
【請求項５７】
前記狭帯域信号が、狭帯域IoT(NB-IoT)信号を含み、前記広帯域信号が、ロングタームエボリューション(LTE)信号を含む、請求項53に記載の装置。
【請求項５８】
前記少なくとも1つのプロセッサがさらに、
狭帯域信号受信のための動作モードを決定する
ように構成され、
前記広帯域信号の前記シンボルが、対応する狭帯域基準信号に対して回転される広帯域基準信号を含む、請求項53に記載の装置。
【請求項５９】
前記広帯域基準信号の相対的回転が、前記狭帯域信号の第1の周波数中心と、前記広帯域信号の第2の周波数中心との間の周波数分離と、シンボルインデックスとに対応する、請求項58に記載の装置。
【請求項６０】
前記少なくとも1つのプロセッサがさらに、
リソース要素の第1のセットの第1の位相と、リソース要素の第2のセットの第2の位相とを比較することによって位相差を決定することであって、前記広帯域信号の前記シンボルの前記相対的回転が、少なくとも前記決定された位相差に基づく、ことをする
ように構成される、請求項59に記載の装置。
【請求項６１】
前記リソース要素の第1のセットが、セル固有基準信号(CRS)を含み、前記リソース要素の第2のセットが、狭帯域基準信号(NRS)を含む、請求項60に記載の装置。
【請求項６２】
前記広帯域基準信号が、セル固有基準信号(CRS)を含む、請求項58に記載の装置。
【請求項６３】
前記少なくとも1つのプロセッサがさらに、
前記CRSに基づく第1のチャネル推定を、狭帯域基準信号(NRS)に基づいて、第2のチャネル推定と結合し、
前記狭帯域信号を結合されたチャネル推定により復調する
ように構成される、請求項62に記載の装置。
【請求項６４】
前記CRSに基づいて前記第1のチャネル推定を決定し、前記NRSに基づいて前記第2のチャネル推定を決定することが、対応する基準信号についてシンボル回転を実行した後、前記CRSおよび前記NRSの少なくとも一部をデスクランブルすることを含む、請求項63に記載の装置。
【請求項６５】
ユーザ機器(UE)におけるワイヤレス通信のためのコンピュータ実行可能コードを記憶するコンピュータ可読記憶媒体であって、
広帯域信号内の周波数位置を有する狭帯域信号を受信し、
前記広帯域信号のシンボルを、時間上の基準点との関係を有するシンボルごとの位相オフセットだけ回転させる
ためのコードを含む、コンピュータ可読記憶媒体。
【請求項６６】
前記基準点が、前記広帯域信号内の基準シンボルを含み、前記関係が、前記基準シンボルに対するインデックスに対応する、請求項65に記載のコンピュータ可読記憶媒体。
【請求項６７】
前記基準点が、偶数番号のサブフレームに含まれる、請求項65に記載のコンピュータ可読記憶媒体。
【請求項６８】
前記基準点が、最後の偶数番号のサブフレームの開始である、請求項67に記載のコンピュータ可読記憶媒体。
【請求項６９】
前記狭帯域信号が、狭帯域IoT(NB-IoT)信号を含み、前記広帯域信号が、ロングタームエボリューション(LTE)信号を含む、請求項65に記載のコンピュータ可読記憶媒体。
【請求項７０】
狭帯域信号受信のための動作モードを決定するためのコードをさらに含み、
前記広帯域信号の前記シンボルが、対応する狭帯域基準信号に対して回転される広帯域基準信号を含む、請求項65に記載のコンピュータ可読記憶媒体。
【請求項７１】
前記広帯域基準信号の相対的回転が、前記狭帯域信号の第1の周波数中心と、前記広帯域信号の第2の周波数中心との間の周波数分離と、シンボルインデックスとに対応する、請求項70に記載のコンピュータ可読記憶媒体。
【請求項７２】
リソース要素の第1のセットの第1の位相と、リソース要素の第2のセットの第2の位相とを比較することによって位相差を決定することであって、前記広帯域信号の前記シンボルの前記相対的回転が、少なくとも前記決定された位相差に基づく、ことをする
ためのコードをさらに含む、請求項71に記載のコンピュータ可読記憶媒体。
【請求項７３】
前記リソース要素の第1のセットが、セル固有基準信号(CRS)を含み、前記リソース要素の第2のセットが、狭帯域基準信号(NRS)を含む、請求項72に記載のコンピュータ可読記憶媒体。
【請求項７４】
前記広帯域基準信号が、セル固有基準信号(CRS)を含む、請求項70に記載のコンピュータ可読記憶媒体。
【請求項７５】
前記CRSに基づく第1のチャネル推定を、狭帯域基準信号(NRS)に基づいて、第2のチャネル推定と結合し、
前記狭帯域信号を結合されたチャネル推定により復調する
ためのコードをさらに含む、請求項74に記載のコンピュータ可読記憶媒体。
【請求項７６】
前記CRSに基づいて前記第1のチャネル推定を決定し、前記NRSに基づいて前記第2のチャネル推定を決定することが、対応する基準信号についてシンボル回転を実行した後、前記CRSおよび前記NRSの少なくとも一部をデスクランブルすることを含む、請求項75に記載のコンピュータ可読記憶媒体。
【国際調査報告】
2019532548.tif 000033
2019532548.tif 000034
2019532548.tif 000035